(57)【特許請求の範囲】
【請求項１】
界面活性剤及び液体布地ケア組成物の総重量に対して０．０５〜１．０重量％の消泡剤組成物を含む液体布地ケア組成物であって、前記消泡剤組成物が、
ａ）１５〜３５モルパーセントの２−フェニルプロピルメチル部分を含む、前記消泡剤組成物に対して５０〜７５重量％の有機修飾シリコーンであって、
以下の式（Ｉ）の単位：
Ｒａ（Ｒ１Ｏ）ｂＲ２ｃＳｉＯ（４−ａ−ｂ−ｃ）／２              式（Ｉ）
（式中、
ａ）Ｒはそれぞれ、Ｈ、脂肪族基を介してケイ素に共有結合している芳香族炭化水素ラジカル、又は場合によりヘテロ原子を含む、ＳｉＣ−結合している、場合により置換されている、一価の脂肪族炭化水素ラジカルから独立して選択され、
ｂ）Ｒ１はそれぞれ、Ｈ、又は場合によりヘテロ原子を含む、場合により置換されている、一価の脂肪族炭化水素ラジカルから独立して選択され、
ｃ）Ｒ２はそれぞれ、Ｈ、脂肪族基を介してケイ素に共有結合している芳香族炭化水素ラジカル、炭素環原子を介してケイ素原子に結合している、場合により置換されている、一価の芳香族炭化水素ラジカル、及び場合によりヘテロ原子を含む、ＳｉＣ−結合している、場合により置換されている、一価の脂肪族炭化水素ラジカルからなる群から独立して選択され、
ｄ）添え字ａは、０、１、２又は３であり、
ｅ）添え字ｂは、０、１、２又は３であり、
ｆ）添え字ｃは、０、１、２又は３であり、
ただし、ａ＋ｂ＋ｃの合計は、０〜３の整数である条件とする）
を含む、有機修飾シリコーンと、
ｂ）前記消泡剤組成物に対して２〜８重量％のシリカであって、前記消泡剤組成物のシリカが、疎水性沈降シリカ及び／又は疎水性ヒュームドシリカを含む、シリカと、
ｃ）前記消泡剤組成物に対して１５〜４０重量％のポリジメチルシロキサンポリマーであって、２５℃で、１ｍｍ２／ｓ〜２０ｍｍ２／ｓ（１ｃＳｔ〜２０ｃＳｔ）の粘度を有しており、前記有機修飾シリコーンの粘度よりも、５０％小さい粘度を有しており、前記ポリジメチルシロキサンポリマーと前記有機修飾シリコーンの重量比が１：５〜１：３である、前記ポリジメチルシロキサンポリマーと、
ｄ）前記消泡剤組成物に対して１．５〜４．０重量％のシリコーン樹脂であって、
以下の式（ＩＩ）の単位：
Ｒ３ｄ（Ｒ４Ｏ）ｅＳｉＯ（４−ｄ−ｅ）／２                  式（ＩＩ）
（式中、
ａ）Ｒ３はそれぞれ、Ｈ、場合によりヘテロ原子を含む、ＳｉＣ−結合している、場合により置換されている、一価の脂肪族炭化水素ラジカル、又は脂肪族基を介してケイ素に共有結合している芳香族炭化水素ラジカルから独立して選択され、
ｂ）Ｒ４はそれぞれ、Ｈ、又は場合によりヘテロ原子を含む、場合により置換されている、一価の脂肪族炭化水素ラジカルから独立して選択され、
ｃ）添え字ｄは、０、１、２又は３であり、
ｄ）添え字ｅは、０、１、２又は３であり、
ただし、ｄ＋ｅの合計は、０〜３の整数である条件とする）
を含む、シリコーン樹脂と、
を含み、
前記消泡剤組成物は、２５℃で２０秒−１のずり速度において、１，０００ｍｍ２／ｓ〜７，０００ｍｍ２／ｓ（１，０００ｃＳｔ〜７，０００ｃＳｔ）の粘度を有しており、有機修飾シリコーンとシリカとの重量比が４：１〜７０：１である、組成物。
【請求項２】
前記消泡剤組成物のポリジメチルシロキサンポリマーが、２５℃で１．５ｍｍ２／ｓ〜１２ｍｍ２／ｓ（１．５ｃＳｔ〜１２ｃＳｔ）の粘度を有している、請求項１に記載の組成物。
【請求項３】
前記消泡剤組成物が、消泡剤組成物の総重量に対して、
ｂ）４〜８％のシリカと、
ｃ）０〜４％の溶媒と、
を含む、請求項２に記載の組成物。
【請求項４】
消泡剤組成物の、有機修飾シリコーンとシリカとの重量比が、８：１〜１５：１である、請求項３に記載の組成物。
【請求項５】
前記消泡剤組成物が、消泡剤組成物の総重量に対して、
ｂ）４％〜５％の、疎水化シリカを含む、シリカと、
ｃ）０％〜１０％の溶媒と、
ｄ）前記有機修飾シリコーンの重量に対して、２０％以上のシロキサンポリマーと、
を含む、請求項２に記載の組成物。
【請求項６】
前記界面活性剤が、アニオン性界面活性剤であり、前記アニオン性界面活性剤は、Ｃ９〜Ｃ１８アルキルベンゼンスルホネート界面活性剤；Ｃ１０〜Ｃ２０アルキルサルフェート界面活性剤；Ｃ１０〜Ｃ１８アルキルアルコキシサルフェート界面活性剤からなる群から選択され、前記Ｃ１０〜Ｃ１８アルキルアルコキシサルフェート界面活性剤が、１〜３０の平均アルコキシル化度を有しており、アルコキシは、Ｃ１〜Ｃ４鎖及びそれらの混合物を含む、請求項４に記載の組成物。
【請求項７】
前記有機修飾シリコーンのＲ２部分がそれぞれ、Ｈ、脂肪族基を介してケイ素に共有結合している芳香族炭化水素ラジカル、炭素環原子を介してケイ素原子に結合している、場合により置換されている、一価の芳香族炭化水素ラジカル、場合によりヘテロ原子を含む、ＳｉＣ−結合している、場合により置換されている、一価の脂肪族炭化水素ラジカル、Ｓｉ−Ｘ−Ｃ−結合している、場合により置換されている、一価の脂肪族炭化水素ラジカル（Ｘは、硫黄、窒素又はリンである）、−ＳＨ及び−ＮＨ２からなる群から独立して選択される、請求項６に記載の組成物。
【発明の詳細な説明】
【技術分野】
【０００１】
本出願は、消泡剤組成物、並びにこうした組成物を作製及び使用する方法、並びにこうした組成物を含む消費者製品及びその使用に関する。
【背景技術】
【０００２】
清浄及び／又は処置用組成物は、泡を発生する物質を使用することができる。ある種の清浄及び／又は処置用組成物は、泡のレベルが望ましい程度よりも高い。泡を低減する方法の１つは、清浄及び／又は処置用組成物に消泡剤を加えることである。不運なことに、高粘度シリコーンを含む消泡剤組成物は、有効性が高いが、こうした組成物は、清浄及び／又は処置用組成物などの消費者製品に配合する前に、乳化されなければならない。乳化工程を回避するために、消泡剤組成物に、低粘度シリコーンが使用されてきた。不運なことに、こうした消泡剤組成物は、非常に有効性の高い消泡剤ではない。その結果、希釈剤（dilutant）が高粘度シリコーンと組み合わせて使用されてきた。こうした希釈剤は、対象となる消泡剤の粘度を劇的に増加させる、消泡剤の粘度及び有効性を低下させる、又は消泡剤の構成成分と他の負の相互作用を有する。
【発明の概要】
【発明が解決しようとする課題】
【０００３】
本出願人らは、シリコーン構成成分に希釈剤が不溶であること、又は希釈剤がこうしたシリコーン構成成分に可溶性である場合、消泡剤の有効性を低下させる、粘度低下のどちらかに起因して、こうした希釈剤の使用に関連する問題が起こることを認識した。したがって、本出願人らは、必要とされるものが、無溶媒の消泡剤の粘度を低下させ、かつ消泡剤が消費者製品と混合される場合、消泡剤から消費者製品に移動する希釈剤を含む消泡剤組成物であることを認識した。手短に言うと、本明細書において開示されている消泡剤組成物は、低い粘度を有しており、やはり所望の消泡性効力をもたらす。
【課題を解決するための手段】
【０００４】
本出願は、消泡剤組成物、並びにこうした組成物を作製及び使用する方法、並びにこうした組成物を含む消費者製品及びその使用に関する。こうした消泡剤組成物は、粘度が低く、やはり有効な消泡剤である。
【発明を実施するための形態】
【０００５】
定義
本明細書において使用する場合、「消費者製品」は、販売される形態での使用又は消費を意図し、後続する商業的製造又は修正を意図しない、ベビーケア、ビューティケア、布地及びホームケア、ファミリーケア、フェミニンケア、ヘルスケア、スナック及び／若しくは飲料製品、又は装置を意味する。こうした製品には、以下に限定されないが、おむつ、胸当て、ワイプ；毛髪（ヒト、犬及び／又はネコ）を処置するための製品、及び／又はその処置に関連する方法のための製品（漂白、着色、染色、コンディショニング、シャンプー、スタイリングを含む）；脱臭剤及び制汗剤；パーソナルクレンジング剤；化粧品；スキンケア（クリーム、ローション及び消費者使用向けの他の局所施用用製品を含む）；及び髭そり用製品、布地及びホームケア（空気のケア、カーケア、食器洗浄、布地のコンディショニング（柔軟を含む）、洗濯洗浄力、洗濯及びリンス用添加剤及び／又はケア、硬表面清浄及び／又は処置、並びに消費者又は業務用の他の清浄）の領域における、布地、硬質表面及び他の任意の表面を処置するための製品及び／又はその処置に関連する方法のための製品；ティシュペーパー、化粧紙、紙ハンカチ及び／又は紙タオルに関連する製品及び／又は方法；歯磨き粉、歯磨きジェル、歯科洗液、義歯接着剤、歯科用ホワイトニング剤を含む口腔ケアに関連する製品及び／又は方法；店頭のヘルスケア（鎮痛剤、ペットの健康及び栄養、並びに水質浄化を含む）が挙げられる。
【０００６】
本明細書において使用する場合、用語「清浄及び／又は処置用組成物」は、特記しないかぎり、単位用量の、顆粒又は粉末形態の汎用又は「強力」洗浄剤、とりわけ清浄洗剤；液体、ゲル又はペースト形態の汎用洗浄剤、とりわけいわゆる強力液状タイプ；きめの細かい布地用液体洗剤；硬食器洗剤又は軽質食器洗剤、とりわけ高起泡性タイプのものなど；機械用食器洗浄剤（家庭用及び業務用のさまざまな錠剤、顆粒、液体及びすすぎ助剤のタイプを含む）；液体清浄剤及び殺菌剤（抗菌性手洗いタイプ、清浄用バー、口腔洗液、義歯清浄剤、口中洗浄薬、車又はカーペット用シャンプー、浴室用清浄剤；頭髪用シャンプー及び頭髪用リンスシャワーゲル及び浴室用フォーム及び金属清浄剤；並びに漂白添加剤及び「ステインスティック」又は前処置タイプなどの清浄補助剤、ドライヤー添加シート、乾燥及び湿潤ワイプ及びパッド、不織布基材、及びスポンジなどの基材付き製品；並びにスプレー及びミストを含む。
【０００７】
本明細書において使用する場合、用語「布地ケア組成物」は、特記しないかぎり、布地柔軟性組成物、布地増強組成物、布地フレッシュニング組成物、及びこれらの組合せを含む。
【０００８】
本明細書において使用する場合、特許請求の範囲で使用される場合、冠詞「ａ」及び「ａｎ」は、特許請求又は記載されているもののうちの１つ又は複数を意味すると理解される。
【０００９】
本明細書において使用する場合、「含む（include）」、「含む（includes）」及び「含んでいる（including）」という用語は、「含むが、これらに限定されない」という言い回しと同義であることを意味する。
【００１０】
本明細書において使用する場合、用語「固体」は、顆粒、粉末、棒状及び錠剤の製品形態を意味する。
【００１１】
本明細書において使用する場合、用語「部位」は、紙製品、布地、衣服、硬質表面、毛髪及び皮膚を含む。
【００１２】
本明細書において、消泡剤の有機修飾シリコーン要素、及びそれを含む消費者製品を記載及び／又は列挙して使用される場合、２−フェニルプロピルメチル部分は、（メチル）（２−フェニルプロピル）；（２−フェニルプロピル）メチル；メチル（２−フェニルプロピル）；メチル（β−メチルフェニルエチル）；２−フェニルプロピルメチル；２−フェニルプロピルメチル；メチル２−フェニルプロピル；及び、Ｍｅ２−フェニルプロピル
と同義である。したがって、有機修飾シリコーンは、例として、以下のこうした命名法を使用することができる：
（メチル）（２−フェニルプロピル）シロキサン
（メチル）（２−フェニルプロピル）シロキサン
（２−フェニルプロピル）メチルシロキサン
（２−フェニルプロピル）メチルシロキサン
メチル（２−フェニルプロピル）シロキサン
メチル（２−フェニルプロピル）シロキサン
メチル（β−メチルフェニルエチル）シロキサン
メチル（β−メチルフェニルエチル）シロキサン
２−フェニルプロピルメチルシロキサン
２−フェニルプロピルメチルシロキサン
２−フェニルプロピルメチルシロキサン
２−フェニルプロピルメチルシロキサン
メチル２−フェニルプロピルシロキサン
メチル２−フェニルプロピルシロキサン
Ｍｅ２−フェニルプロピルシロキサン
Ｍｅ２−フェニルプロピルシロキサン。
【００１３】
本明細書において使用する場合、ヘテロ原子という用語は、通常の、慣用的な意味をとり、すなわち、Ｎ、Ｏ、Ｓ、Ｐ、Ｃｌ、Ｂｒ及びＩを含む。
【００１４】
別途記載のないかぎり、構成成分又は組成物のレベルはすべて、その構成成分又は組成物の活性部分に関するものであり、こうした構成成分又は組成物の市販の供給源に存在し得る不純物、たとえば、残留溶媒又は副生成物は除外される。
【００１５】
すべての百分率及び比率は、特記しないかぎり、重量で算出される。特記しないかぎり、パーセント及び比はすべて、全組成物に基づいて算出する。
【００１６】
本明細書の全体を通して示されているすべての最大数値の限定は、それよりも小さい数値限定を、こうしたより小さい数値限定があたかも本明細書に明確に記載されているかのごとく、包含するものと理解すべきである。本明細書の全体を通して示されているすべての最小数値の限定は、それよりも大きい数値限定を、こうしたより大きい数値限定があたかも本明細書に明確に記載されているかのごとく、包含する本明細書全体を通して示されているすべての数値範囲は、より狭い数値範囲が本明細書に明確に記載されているかのごとく、こうしたより広い数値範囲内に収まるすべてのこうしたより狭い数値範囲を包含することになろう。
【００１７】
消泡剤組成物、及びそれを含む組成物
ａ）１つ以上の２−フェニルプロピルメチル部位、好ましくは１〜７５モルパーセントの２−フェニルプロピルメチル部位、より好ましくは５〜５０モルパーセントの２−フェニルプロピルメチル部位、より好ましくは５〜４０モルパーセントの２−フェニルプロピルメチル部位、より好ましくは１５〜３５モルパーセントの２−フェニルプロピルメチル部位を含み、最も好ましくは２７〜３３モルパーセントの２−フェニルプロピルメチル部分を含む、有機修飾シリコーンと、
ｂ）シリカと、
ｃ）シロキサンポリマーであって、約０．８超、より好ましくは０．８５超、より好ましくは０．９超、より好ましくは０．９５超、０．９８超、最も好ましくは約０．８〜１．２５の溶解度指数、及び約０．５ｍｍ２／ｓ〜約１０，０００ｍｍ２／ｓ、約０．５ｍｍ２／ｓ〜約５，０００ｍｍ２／ｓ、約０．５ｍｍ２／ｓ〜約１，０００ｍｍ２／ｓ、約２ｍｍ２／ｓ〜約１，０００ｍｍ２／ｓ、好ましくは約１ｍｍ２／ｓ〜約７５０ｍｍ２／ｓ、より好ましくは約１ｍｍ２／ｓ〜約５００ｍｍ２／ｓ、より好ましくは約１ｍｍ２／ｓ〜約１００ｍｍ２／ｓ、最も好ましくは約１ｍｍ２／ｓ〜約２０ｍｍ２／ｓ（約０．５ｃＳｔ〜約１０，０００ｃＳｔ、約０．５ｃＳｔ〜約５，０００ｃＳｔ、約０．５ｃＳｔ〜約１，０００ｃＳｔ、約２ｃＳｔ〜約１，０００ｃＳｔ、好ましくは約１ｃＳｔ〜約７５０ｃＳｔ、より好ましくは約１ｃＳｔ〜約５００ｃＳｔ、より好ましくは約１ｃＳｔ〜約１００ｃＳｔ、最も好ましくは約１ｃＳｔ〜約２０ｃＳｔ）の粘度を有しており、前記有機修飾シリコーンの粘度よりも、約５％、より好ましくは約１０％、より好ましくは約２０％、より好ましくは約４０％、より好ましくは約５０％、より好ましくは約６０％、より好ましくは約７５％、より好ましくは約９０％、最も好ましくは約９９％小さい粘度を有している、前記シロキサンポリマーと、
ｄ）シリコーン樹脂と、
を含み、
前記消泡剤組成物は、２５℃で２０秒−１のずり速度において、約２５０ｍｍ２／ｓ〜約２０，０００ｍｍ２／ｓ、好ましくは約５００ｍｍ２／ｓ〜約１０，０００ｍｍ２／ｓ、より好ましくは約１，０００ｍｍ２／ｓ〜約７，０００ｍｍ２／ｓ、最も好ましくは約１，０００ｍｍ２／ｓ〜約４，０００ｍｍ２／ｓ（約２５０ｃＳｔ〜約２０，０００ｃＳｔ、好ましくは約５００ｃＳｔ〜約１０，０００ｃＳｔ、より好ましくは約１，０００ｃＳｔ〜約７，０００ｃＳｔ、最も好ましくは約１，０００ｃＳｔ〜約４，０００ｃＳｔ）の粘度を有しており、有機修飾シリコーンとシリカとの比が約２：１〜約５００：１、好ましくは約３：１〜約１００：１、より好ましくは約４：１〜約７０：１、最も好ましくは約５：１〜約５０：１である、
消泡剤組成物。
【００１８】
前記消泡剤組成物の一態様では、前記シロキサンポリマーは、約０．５ｍｍ２／ｓ〜約１，０００ｍｍ２／ｓ、好ましくは約１ｍｍ２／ｓ〜約７５０ｍｍ２／ｓ、より好ましくは約１ｍｍ２／ｓ〜約５００ｍｍ２／ｓ、より好ましくは約１ｍｍ２／ｓ〜約１００ｍｍ２／ｓ、最も好ましくは約１ｍｍ２／ｓ〜約２０ｍｍ２／ｓ（約０．５ｃＳｔ〜約１，０００ｃＳｔ、好ましくは約１ｃＳｔ〜約７５０ｃＳｔ、より好ましくは約１ｃＳｔ〜約５００ｃＳｔ、より好ましくは約１ｃＳｔ〜約１００ｃＳｔ、最も好ましくは約１ｃＳｔ〜約２０ｃＳｔ）の粘度を有する、ポリジメチルシロキサンポリマーを含む。
【００１９】
前記消泡剤組成物の一態様では、前記消泡剤組成物は、１：４〜４：１、好ましくは１：３．８〜３：２、より好ましくは１：３．６〜２：３、又は最も好ましくは１：３〜２：３のシロキサンポリマーと有機修飾シリコーンとの比を有しており、一態様では、１：５〜１：３の前記シロキサンポリマーと有機修飾シリコーンとの比を有する。
【００２０】
前記消泡剤組成物の一態様では、前記有機修飾シリコーンは、以下の式（Ｉ）の単位：
Ｒａ（Ｒ１Ｏ）ｂＲ２ｃＳｉＯ（４−ａ−ｂ−ｃ）／２
式（Ｉ）
（式中、
ａ）Ｒはそれぞれ、Ｈ、脂肪族基を介してケイ素に共有結合している芳香族炭化水素ラジカル、又は場合によりヘテロ原子を含む、ＳｉＣ−結合している、場合により置換されている、一価の脂肪族炭化水素ラジカルから独立して選択され、
ｂ）Ｒ１はそれぞれ、Ｈ、又は場合によりヘテロ原子を含む、場合により置換されている、一価の脂肪族炭化水素ラジカルから独立して選択され、
ｃ）Ｒ２はそれぞれ、Ｈ、脂肪族基を介してケイ素に共有結合している芳香族炭化水素ラジカル、炭素環原子を介してケイ素原子に結合している場合により置換されている一価の芳香族炭化水素ラジカル、及び場合によりヘテロ原子を含む、ＳｉＣ−結合している、場合により置換されている、一価の脂肪族炭化水素ラジカルからなる群から独立して選択され、
ｄ）添え字ａは、０、１、２又は３であり、
ｅ）添え字ｂは、０、１、２又は３であり、
ｆ）添え字ｃは、０、１、２又は３であり、
ただし、ａ＋ｂ＋ｃの合計は、０〜３の整数である条件とする）
を含む。
【００２１】
前記消泡剤組成物の一態様では、前記シリカは、疎水性沈降シリカ及び／又は疎水性ヒュームドシリカを含む。
【００２２】
前記消泡剤組成物の一態様では、前記シロキサンポリマーは、２０ｍｍ２／ｓ未満、好ましくは約０．５ｍｍ２／ｓ〜約１９ｍｍ２／ｓ、より好ましくは約１ｍｍ２／ｓ〜約１５ｍｍ２／ｓ、最も好ましくは約１．５ｍｍ２／ｓ〜約１２ｍｍ２／ｓ（２０ｃＳｔ、好ましくは約０．５ｃＳｔ〜約１９ｃＳｔ、より好ましくは約１ｃＳｔ〜約１５ｃＳｔ、最も好ましくは約１．５ｃＳｔ〜約１２ｃＳｔ）の粘度を有しており、好ましくは前記シロキサンポリマーは、ポリジメチルシロキサンを含む。
【００２３】
前記消泡剤組成物の一態様では、前記シリコーン樹脂は、以下の式（ＩＩ）の単位：
Ｒ３ｄ（Ｒ４Ｏ）ｅＳｉＯ（４−ｄ−ｅ）／２
式（ＩＩ）
（式中、
ａ）Ｒ３はそれぞれ、Ｈ、場合によりヘテロ原子を含む、ＳｉＣ−結合している、場合により置換されている、一価の脂肪族炭化水素ラジカル、又は脂肪族基を介してケイ素に共有結合している芳香族炭化水素ラジカルから独立して選択され、
ｂ）Ｒ４はそれぞれ、Ｈ、又は場合によりヘテロ原子を含む、場合により置換されている、一価の脂肪族炭化水素ラジカルから独立して選択され、
ｃ）添え字ｄは、０、１、２又は３であり、
ｄ）添え字ｄは、０、１、２又は３であり、
ただし、ｄ＋ｅの合計は、０〜３の整数である条件とする）
を含む。
【００２４】
前記消泡剤組成物の一態様では、前記消泡剤組成物は、消泡剤組成物の総重量基準で、
ａ）５０〜７５％の有機修飾シリコーンと、
ｂ）１．５〜４．０％のシリコーン樹脂と、
ｃ）１５〜４０％のシロキサンポリマーと、
ｄ）４〜８％のシリカと、
ｅ）０〜４％の溶媒と
を含む。
【００２５】
一態様では、前記溶媒は、シロキサン、他のシリコーン、炭化水素、グリコールエーテル、グリセリンエーテルなどのグリセリン誘導体、ペルフッ素化アミン、ペルフッ素化及びヒドロフルオロエーテル溶媒、低揮発性非フッ素化有機溶媒、ジオール溶媒、アルキルエステル及びそれらの混合物を含む、親油性流体からなる群から選択することができる。メタノール、エタノール、プロパノール及びイソプロパノールにより例示される低分子量の一級又は二級アルコールが適している。一部の例では、界面活性剤を可溶化するために一価アルコールを用いてもよく、２〜約６個の炭素原子と２〜約６個のヒドロキシ基を含有するものなどのポリオール（たとえば１，３−プロパンジオール、エチレングリコール、グリセリン及び１，２−プロパンジオール）も用いてもよい。モノエタノールアミン、ジエタノールアミン及びトリエタノールアミンなどのアミン含有溶媒も使用することができる。
【００２６】
前記消泡剤組成物の一態様では、有機修飾シリコーンとシリカとの比は、約８：１〜約１５：１である。
【００２７】
前記消泡剤組成物の一態様では、前記消泡剤組成物は、組成物の総重量基準で、
ａ）約３５％〜約７５％、好ましくは約４０％〜約７５％、より好ましくは約５０％〜約７５％の有機修飾シリコーンと、
ｂ）約１．５〜約４．０％のシリコーン樹脂と、
ｃ）約２％〜約８％、好ましくは約３％〜約６％、より好ましくは約４％〜約５％の、好ましくは疎水化シリカを含む、シリカと、
ｄ）約０．１％〜約１０％、好ましくは約０．１％〜約８％、より好ましくは約１〜約５％の溶媒と、
ｅ）前記有機修飾シリコーンの重量に対して、２０％以上、２０％〜３０％、好ましくは２１％〜２７％、より好ましくは２２％〜２６％、最も好ましくは２３％〜２６％のシロキサンポリマー又は前記有機修飾シリコーンの重量に対して、２０％以上、３０％〜約８０％、好ましくは約４０％〜約７０％、より好ましくは約４５％〜約６０％のシロキサンポリマーと
を含む。
【００２８】
前記消泡剤組成物の一態様では、前記消泡剤組成物は、固体の形態、好ましくは粉末、凝集物及びそれらの混合物からなる群から選択される形態にある。
【００２９】
以下の特許請求の範囲のいずれかの消泡剤組成物及び補助成分を含む消費者製品であって、前記消費者製品が、布地ケア及びホームケア製品であり、一態様では、前記布地ケア及びホームケア製品が液体洗剤である、消費者製品が開示される。
【００３０】
前記消費者製品の前記布地ケア及びホームケア製品の変形を含む、前記消費者製品の一態様では、前記補助成分は、界面活性剤、色調ケアポリマー、付着助剤、界面活性剤強化ポリマー、ｐＨ調節剤、製品色調安定剤、保存剤、溶媒、ビルダー、キレート剤、移染防止剤、分散剤、酵素及び酵素安定剤、触媒材料、漂白剤、漂白活性化剤、ポリマー分散化剤、粘土の汚れ除去／再付着防止剤、増白剤、泡抑制剤、染料、ＵＶ吸収剤、香料及び香料送達系、構造弾性化剤、増粘剤／構造化剤、布地柔軟剤、担体、向水性物質、オリゴアミン、加工助剤、色調剤、及び／又は顔料からなる群から選択される。
【００３１】
前記消費者製品の前記布地ケア及びホームケア製品の変形を含む、前記消費者製品の一態様では、前記界面活性剤は、アニオン性界面活性剤、カチオン性界面活性剤、非イオン性界面活性剤、双性イオン性界面活性剤、両性界面活性剤、及びそれらの混合物からなる群から選択される。
【００３２】
前記消費者製品の前記布地ケア及びホームケア製品の変形を含む、前記消費者製品の一態様では、前記消費者製品は、アニオン性界面活性剤を含む。
【００３３】
前記消費者製品の前記布地ケア及びホームケア製品の変形を含む、前記消費者製品の一態様では、前記アニオン性界面活性剤は、Ｃ９〜Ｃ１８アルキルベンゼンスルホネート界面活性剤；Ｃ１０〜Ｃ２０アルキルサルフェート界面活性剤；Ｃ１０〜Ｃ１８アルキルアルコキシサルフェート界面活性剤（前記Ｃ１０〜Ｃ１８アルキルアルコキシサルフェート界面活性剤は、１〜３０の平均アルコキシル化度を有しており、アルコキシは、Ｃ１〜Ｃ４鎖を含む）、及びそれらの混合物からなる群から選択される。
【００３４】
前記消費者製品の前記布地ケア及びホームケア製品の変形を含む、前記消費者製品の一態様では、
ａ）前記布地柔軟化活性物質は、ポリグリセロールエステル、油性糖誘導体、ワックスエマルション、脂肪酸、塩化Ｎ，Ｎ−ビス（ステアロイル−オキシ−エチル）Ｎ，Ｎ−ジメチルアンモニウム、塩化Ｎ，Ｎ−ビス（タロウオイル−オキシ−エチル）Ｎ，Ｎ−ジメチルアンモニウム、メチル硫酸Ｎ，Ｎ−ビス（ステアロイル−オキシ−エチル）Ｎ−（２ヒドロキシエチル）Ｎ−メチルアンモニウム、及びそれらの混合物からなる群から選択され、
ｂ）前記付着助剤ポリマーは、前記組成物のｐＨにおいて、約０．００５ｍｅｑ／ｇ〜約２３ｍｅｑ／ｇ、好ましくは約０．０１ｍｅｑ／ｇ〜約１２ｍｅｑ／ｇ、最も好ましくは約０．１ｍｅｑ／ｇ〜約７ｍｅｑ／ｇの正電荷を有するカチオン性ポリマーを含み、
ｃ）前記香料送達系は、香料マイクロ封入体又は水分活性化香料マイクロ封入体（該マイクロ封入体は、ポリアクリレート、及び／又はアルデヒドにより架橋されているポリマーを含むシェルを含んでおり、好ましくは前記シェルは、ポリアクリレート、ポリウレア、ポリウレタン、ポリアミン、アルデヒドにより架橋されているウレア、又はアルデヒドにより架橋されているメラミンからなる群から選択されるポリマーを含み、より好ましくは、前記ポリマーは、メラミン−ホルムアルデヒド、ウレア−ホルムアルデヒド、フェノール−ホルムアルデヒド又はホルムアルデヒドとの他の縮合ポリマーからなる群から選択される）、香料担体及びカプセル封入香料組成物（前記香料担体は、シクロデキストリン、デンプンマイクロ封入体、多孔性担体マイクロ封入体及びそれらの混合物からなる群から選択することができる）からなる群から選択される構成成分を含み、前記カプセル封入香料組成物は、低揮発性香料成分、高揮発性香料成分及びそれらの混合物を含むことができ、
ｄ）前記酵素は、プロテアーゼ、アミラーゼ、リパーゼ、マンナーゼ、セルラーゼ、キシログルカナーゼ、ペクチン酸リアーゼ、及びそれらの混合物からなる群から選択され、
ｅ）前記構造化剤は、水素化ヒマシ油；水素化ヒマシ油の誘導体；マイクロフィブリル状セルロース；ヒドロキシ官能性結晶性材料、長鎖脂肪アルコール、１２−ヒドロキシステアリン酸；粘土；及びそれらの混合物からなる群から選択され、
ｆ）前記ポリマー分散化剤は、ポリカルボキシレート、汚れ放出ポリマー、カルボキシメチルセルロース、ポリ（ビニルピロリドン）、ポリ（エチレングリコール）、ポリ（ビニルアルコール）、ポリ（ビニルピリジン−Ｎ−オキシド）、ポリ（ビニルイミダゾール）、双性エトキシル化四級化硫酸化ヘキサメチレンジアミン、アルコキシル化ポリアルキレンイミン、エトキシル化ポリアミン、ポリエチレングリコール−ポリビニルアセテートからなる群から選択され、
ｇ）前記色調剤は、低分子染料、ポリマー染料、染料粘土複合体（conjugate）及び顔料からなる群から選択される群から選択され、
ｈ）前記オリゴアミンは、ポリエーテルアミンからなる群から選択され、かつ
ｉ）それらの混合物
である。
【００３５】
前記消泡剤組成物の有機修飾シリコーンが、２７〜３３モルパーセントの２−フェニルプロピルメチル部分を含み、かつ／又は前記シロキサンポリマーと有機修飾シリコーンとの比が、１：５〜１：３である、消費者製品は、洗剤及び／又は布地柔軟剤である。
【００３６】
ｃ）Ｒ２はそれぞれ、がそれぞれ、Ｈ、脂肪族基を介してケイ素に共有結合している芳香族炭化水素ラジカル、炭素環原子を介してケイ素原子に結合している場合により置換されている一価の芳香族炭化水素ラジカル、場合によりヘテロ原子を含む、ＳｉＣ−結合している、場合により置換されている、一価の脂肪族炭化水素ラジカル、Ｓｉ−Ｘ−Ｃ−結合している場合により置換されている、一価の脂肪族炭化水素ラジカル（Ｘはヘテロ原子であり、好ましくは、Ｘは、硫黄、窒素又はリンである）、−ＳＨ及び−ＮＨ２からなる群から独立して選択される、消費者製品であって、洗剤及び／又は布地柔軟剤である前記消費者製品。
【００３７】
前記消費者製品の一態様では、前記消費者製品は補助成分を含み、好ましくは前記補助成分は、界面活性剤、色調ケアポリマー、付着助剤、界面活性剤強化ポリマー、ｐＨ調節剤、製品色調安定剤、保存剤、溶媒、ビルダー、キレート剤、移染防止剤、分散剤、酵素及び酵素安定剤、触媒材料、漂白剤、漂白活性化剤、ポリマー分散化剤、粘土の汚れ除去／再付着防止剤、増白剤、泡抑制剤、染料、ＵＶ吸収剤、香料及び香料送達系、構造弾性化剤、増粘剤／構造化剤、布地柔軟剤、担体、向水性物質、オリゴアミン、加工助剤、色調剤、及び／又は顔料からなる群から選択される。
【００３８】
前記消費者製品の一態様では、前記界面活性剤は、アニオン性界面活性剤、カチオン性界面活性剤、非イオン性界面活性剤、双性イオン性界面活性剤、両性界面活性剤、及びそれらの混合物からなる群から選択される。
【００３９】
前記消費者製品の一態様では、前記消費者製品は、アニオン性界面活性剤を含む。
【００４０】
前記消費者製品の一態様では、前記アニオン性界面活性剤は、Ｃ９〜Ｃ１８アルキルベンゼンスルホネート界面活性剤；Ｃ１０〜Ｃ２０アルキルサルフェート界面活性剤；Ｃ１０〜Ｃ１８アルキルアルコキシサルフェート界面活性剤（前記Ｃ１０〜Ｃ１８アルキルアルコキシサルフェート界面活性剤は、１〜３０の平均アルコキシル化度を有しており、アルコキシは、Ｃ１〜Ｃ４鎖を含む）、及びそれらの混合物からなる群から選択される。
【００４１】
上記消費者製品の一態様において：
ａ）前記布地柔軟化活性物質は、ポリグリセロールエステル、油性糖誘導体、ワックスエマルション、脂肪酸、塩化Ｎ，Ｎ−ビス（ステアロイル−オキシ−エチル）Ｎ，Ｎ−ジメチルアンモニウム、塩化Ｎ，Ｎ−ビス（タロウオイル−オキシ−エチル）Ｎ，Ｎ−ジメチルアンモニウム、メチル硫酸Ｎ，Ｎ−ビス（ステアロイル−オキシ−エチル）Ｎ−（２ヒドロキシエチル）Ｎ−メチルアンモニウム、及びそれらの混合物からなる群から選択され、
ｂ）前記付着助剤ポリマーは、前記組成物のｐＨにおいて、約０．００５ｍｅｑ／ｇ〜約２３ｍｅｑ／ｇ、好ましくは約０．０１ｍｅｑ／ｇ〜約１２ｍｅｑ／ｇ、最も好ましくは約０．１ｍｅｑ／ｇ〜約７ｍｅｑ／ｇの正電荷を有するカチオン性ポリマーを含み、
ｃ）前記香料送達系は、香料マイクロ封入体又は水分活性化香料マイクロ封入体（該マイクロ封入体は、ポリアクリレート、及び／又はアルデヒドにより架橋されているポリマーを含むシェルを含んでおり、好ましくは前記シェルは、ポリアクリレート、ポリウレア、ポリウレタン、ポリアミン、アルデヒドにより架橋されているウレアから選択されるポリマー、又はアルデヒドにより架橋されているメラミンを含み、より好ましくは、前記ポリマーは、メラミン−ホルムアルデヒド、ウレア−ホルムアルデヒド、フェノール−ホルムアルデヒド又はホルムアルデヒドとの他の縮合ポリマーからなる群から選択される）、香料担体及びカプセル封入香料組成物（前記香料担体は、シクロデキストリン、デンプンマイクロ封入体、多孔性担体マイクロ封入体及びそれらの混合物からなる群から選択することができる）からなる群から選択される構成成分を含み、前記カプセル封入香料組成物は、低揮発性香料成分、高揮発性香料成分及びそれらの混合物を含むことができ、
ｄ）前記酵素は、プロテアーゼ、アミラーゼ、リパーゼ、マンナーゼ、セルラーゼ、キシログルカナーゼ、ペクチン酸リアーゼ、及びそれらの混合物からなる群から選択され、
ｅ）前記構造化剤は、水素化ヒマシ油；水素化ヒマシ油の誘導体；マイクロフィブリル状セルロース；ヒドロキシ官能性結晶性材料、長鎖脂肪アルコール、１２−ヒドロキシステアリン酸；粘土；及びそれらの混合物からなる群から選択され、
ｆ）前記ポリマー分散化剤は、ポリカルボキシレート、汚れ放出ポリマー、カルボキシメチルセルロース、ポリ（ビニルピロリドン）、ポリ（エチレングリコール）、ポリ（ビニルアルコール）、ポリ（ビニルピリジン−Ｎ−オキシド）、ポリ（ビニルイミダゾール）、双性エトキシル化四級化硫酸化ヘキサメチレンジアミン、アルコキシル化ポリアルキレンイミン、エトキシル化ポリアミン、ポリエチレングリコール−ポリビニルアセテートからなる群から選択され、
ｇ）前記色調剤は、低分子染料、ポリマー染料、染料粘土複合体及び顔料からなる群から選択され、
ｈ）前記オリゴアミンは、ポリエーテルアミンからなる群から選択され、かつ
ｉ）それらの混合物
である。
【００４２】
布地ケア及びホームケア製品
補助成分及び消泡剤を含む組成物であって、前記消泡剤が、
ａ）１つ以上の２−フェニルプロピルメチル部分、好ましくは１〜７５モルパーセントの２−フェニルプロピルメチル部分、より好ましくは５〜５０モルパーセントの２−フェニルプロピルメチル部分、より好ましくは５〜４０モルパーセントの２−フェニルプロピルメチル部分、より好ましくは１５〜３５モルパーセントの２−フェニルプロピルメチル部分を含み、最も好ましくは２７〜３３モルパーセントの２−フェニルプロピルメチル部分を含む、有機修飾シリコーンと、
ｂ）シリカと、
ｃ）シロキサンポリマーであって、約０．８超、より好ましくは０．８５超、より好ましくは０．９超、より好ましくは０．９５超、０．９８超、最も好ましくは約０．８〜１．２５の溶解度指数、及び約０．５ｍｍ２／ｓ〜約１０，０００ｍｍ２／ｓ、約０．５ｍｍ２／ｓ〜約５，０００ｍｍ２／ｓ、約０．５ｍｍ２／ｓ〜約１，０００ｍｍ２／ｓ、約２ｍｍ２／ｓ〜約１，０００ｍｍ２／ｓ、好ましくは約１ｍｍ２／ｓ〜約７５０ｍｍ２／ｓ、より好ましくは約１ｍｍ２／ｓ〜約５００ｍｍ２／ｓ、より好ましくは約１ｍｍ２／ｓ〜約１００ｍｍ２／ｓ、最も好ましくは約１ｍｍ２／ｓ〜約２０ｍｍ２／ｓ（約０．５ｃＳｔ〜約１０，０００ｃＳｔ、約０．５ｃＳｔ〜約５，０００ｃＳｔ、約０．５ｃＳｔ〜約１，０００ｃＳｔ、約２ｃＳｔ〜約１，０００ｃＳｔ、好ましくは約１ｃＳｔ〜約７５０ｃＳｔ、より好ましくは約１ｃＳｔ〜約５００ｃＳｔ、より好ましくは約１ｃＳｔ〜約１００ｃＳｔ、最も好ましくは約１ｃＳｔ〜約２０ｃＳｔ）の粘度を有しており、前記有機修飾シリコーンの粘度よりも、約５％、より好ましくは約１０％、より好ましくは約２０％、より好ましくは約４０％、より好ましくは約５０％、より好ましくは約６０％、より好ましくは約７５％、より好ましくは約９０％、最も好ましくは約９９％小さい粘度を有している、前記シロキサンポリマーと、
ｄ）シリコーン樹脂と、
を含み、
前記消泡剤組成物は、２５℃で２０秒−１のずり速度において、約２５０ｍｍ２／ｓ〜約２０，０００ｍｍ２／ｓ、好ましくは約５００ｍｍ２／ｓ〜約１０，０００ｍｍ２／ｓ、より好ましくは約１，０００ｍｍ２／ｓ〜約７，０００ｍｍ２／ｓ、最も好ましくは約１，０００ｍｍ２／ｓ〜約４，０００ｍｍ２／ｓ（約２５０ｃＳｔ〜約２０，０００ｃＳｔ、好ましくは約５００ｃＳｔ〜約１０，０００ｃＳｔ、より好ましくは約１，０００ｃＳｔ〜約７，０００ｃＳｔ、最も好ましくは約１，０００ｃＳｔ〜約４，０００ｃＳｔ）の粘度を有しており、有機修飾シリコーンとシリカとの比が約２：１〜約５００：１、好ましくは約３：１〜約１００：１、より好ましくは約４：１〜約７０：１、最も好ましくは約５：１〜約５０：１であり、
前記組成物は、布地ケア及びホームケア製品であり、好ましくは前記組成物は、洗剤及び／又は布地柔軟剤であり、より好ましくは前記組成物は液体洗剤である、上記組成物が開示される。
【００４３】
好ましくは、前記組成物の消泡剤のシロキサンポリマーは、約０．５ｍｍ２／ｓ〜約１，０００ｍｍ２／ｓ、より好ましくは約１ｍｍ２／ｓ〜約７５０ｍｍ２／ｓ、より好ましくは約１ｍｍ２／ｓ〜約５００ｍｍ２／ｓ、より好ましくは約１ｍｍ２／ｓ〜約１００ｍｍ２／ｓ、最も好ましくは約１ｍｍ２／ｓ〜約２０ｍｍ２／ｓ（約０．５ｃＳｔ〜約１，０００ｃＳｔ、より好ましくは約１ｃＳｔ〜約７５０ｃＳｔ、より好ましくは約１ｃＳｔ〜約５００ｃＳｔ、より好ましくは約１ｃＳｔ〜約１００ｃＳｔ、最も好ましくは約１ｃＳｔ〜約２０ｃＳｔ）の粘度を有する、ポリジメチルシロキサンポリマーを含む。
【００４４】
好ましくは、前記組成物の消泡剤は、１：４〜４：１、好ましくは１：３．８〜３：２、より好ましくは１：３．６〜２：３、又は最も好ましくは１：３〜２：３のシロキサンポリマーと有機修飾シリコーンとの比を有する。
【００４５】
好ましくは、前記組成物の消泡性有機修飾シリコーンは、以下の式（Ｉ）：
Ｒａ（Ｒ１Ｏ）ｂＲ２ｃＳｉＯ（４−ａ−ｂ−ｃ）／２
式（Ｉ）
（式中、
ａ）Ｒはそれぞれ、Ｈ、脂肪族基を介してケイ素に共有結合している芳香族炭化水素ラジカル、又は場合によりヘテロ原子を含む、ＳｉＣ−結合している、場合により置換されている、一価の脂肪族炭化水素ラジカルから独立して選択され、
ｂ）Ｒ１はそれぞれ、Ｈ、又は場合によりヘテロ原子を含む、場合により置換されている、一価の脂肪族炭化水素ラジカルから独立して選択され、
ｃ）Ｒ２はそれぞれ、Ｈ、脂肪族基を介してケイ素に共有結合している芳香族炭化水素ラジカル、炭素環原子を介してケイ素原子に結合している場合により置換されている、一価の芳香族炭化水素ラジカル、及び場合によりヘテロ原子を含む、ＳｉＣ−結合している、場合により置換されている、一価の脂肪族炭化水素ラジカルからなる群から独立して選択され、
ｄ）添え字ａは、０、１、２又は３であり、
ｅ）添え字ｂは、０、１、２又は３であり、
ｆ）添え字ｃは、０、１、２又は３であり、
ただし、ａ＋ｂ＋ｃの合計は、０〜３の整数である条件とする）
の単位を含む。
【００４６】
好ましくは、前記組成物の消泡剤のシリカは、疎水性沈降シリカ及び／又は疎水性ヒュームドシリカを含む。
【００４７】
好ましくは、前記組成物の消泡剤のシロキサンポリマーは、２０ｍｍ２／ｓ未満、より好ましくは約０．５ｍｍ２／ｓ〜約１９ｍｍ２／ｓ、より好ましくは約１ｍｍ２／ｓ〜約１５ｍｍ２／ｓ、最も好ましくは約１．５ｍｍ２／ｓ〜約１２ｍｍ２／ｓ（２０ｃＳｔ、より好ましくは約０．５ｃＳｔ〜約１９ｃＳｔ、より好ましくは約１ｃＳｔ〜約１５ｃＳｔ、最も好ましくは約１．５ｃＳｔ〜約１２ｃＳｔ）の粘度を有しており、好ましくは前記シロキサンポリマーは、ポリジメチルシロキサンを含む。
【００４８】
好ましくは、前記組成物の消泡剤のシリコーン樹脂は、以下の式（ＩＩ）の単位：
Ｒ３ｄ（Ｒ４Ｏ）ｅＳｉＯ（４−ｄ−ｅ）／２
式（ＩＩ）
（式中、
ａ）Ｒ３はそれぞれ、Ｈ、場合によりヘテロ原子を含む、ＳｉＣ−結合している、場合により置換されている、一価の脂肪族炭化水素ラジカル、脂肪族基を介してケイ素に共有結合している芳香族炭化水素ラジカルから独立して選択され、
ｂ）Ｒ４はそれぞれ、Ｈ、又は場合によりヘテロ原子を含む、場合により置換されている、一価の脂肪族炭化水素ラジカルから独立して選択され、
ｃ）添え字ｄは、０、１、２又は３であり、
ｄ）添え字ｅは、０、１、２又は３であり、
ただし、ｄ＋ｅの合計は、０〜３の整数である条件とする）
を含む。
【００４９】
好ましくは、前記組成物の前記消泡剤は、
ａ）５０〜７５％の有機修飾シリコーンと、
ｂ）１．５〜４．０％のシリコーン樹脂と、
ｃ）１５〜４０％のシロキサンポリマーと、
ｄ）４〜８％のシリカと、
ｅ）０〜４％の溶媒と、
を含む。
【００５０】
好ましくは、前記組成物の消泡剤の、有機修飾シリコーンとシリカとの比は、約８：１〜約１５：１である。
【００５１】
好ましくは、前記組成物の消泡剤は、消泡剤組成物の全重量基準で、
ａ）約３５％〜約７５％、好ましくは約４０％〜約７５％、より好ましくは約５０％〜約７５％の有機修飾シリコーンと、
ｂ）約１．５〜約４．０％のシリコーン樹脂と、
ｃ）約２％〜約８％、好ましくは約３％〜約６％、より好ましくは約４％〜約５％の、好ましくは疎水化シリカを含む、シリカと、
ｄ）約０．１％〜約１０％、好ましくは約０．１％〜約８％、より好ましくは約１〜約５％の溶媒と、
ｅ）前記有機修飾シリコーンの重量に対して、２０％以上、２０％〜３０％、好ましくは２１％〜２７％、より好ましくは２２％〜２６％、最も好ましくは２３％〜２６％のシロキサンポリマー又は前記有機修飾シリコーンの重量に対して、２０％以上、３０％〜約８０％、好ましくは約４０％〜約７０％、より好ましくは約４５％〜約６０％のシロキサンポリマーと
を含む。
【００５２】
好ましくは、前記組成物の消泡剤は、固体形態、好ましくは粉末、凝集物及びそれらの混合物からなる群から選択される形態にある。
【００５３】
好ましくは、前記組成物の補助成分は、界面活性剤、色調ケアポリマー、付着助剤、界面活性剤強化ポリマー、ｐＨ調節剤、製品色調安定剤、保存剤、溶媒、ビルダー、キレート剤、移染防止剤、分散剤、酵素及び酵素安定剤、触媒材料、漂白剤、漂白活性化剤、ポリマー分散化剤、粘土の汚れ除去／再付着防止剤、増白剤、泡抑制剤、染料、ＵＶ吸収剤、香料及び香料送達系、構造弾性化剤、増粘剤／構造化剤、布地柔軟剤、担体、向水性物質、オリゴアミン、加工助剤、色調剤、及び／又は顔料からなる群から選択される。
【００５４】
好ましくは、前記組成物は、アニオン性界面活性剤、カチオン性界面活性剤、非イオン性界面活性剤、双性イオン性界面活性剤、両性界面活性剤、及びそれらの混合物からなる群から選択される。
【００５５】
好ましくは、前記組成物は、アニオン性界面活性剤を含む。
【００５６】
好ましくは、前記組成物は、Ｃ９〜Ｃ１８アルキルベンゼンスルホネート界面活性剤；Ｃ１０〜Ｃ２０アルキルサルフェート界面活性剤；Ｃ１０〜Ｃ１８アルキルアルコキシサルフェート界面活性剤（前記Ｃ１０〜Ｃ１８アルキルアルコキシサルフェート界面活性剤は、１〜３０の平均アルコキシル化度を有しており、アルコキシは、Ｃ１〜Ｃ４鎖を含む）、及びそれらの混合物からなる群から選択されるアニオン性界面活性剤を含む。
【００５７】
好ましくは、前記組成物は、
ａ）布地柔軟化活性物質は、ポリグリセロールエステル、油性糖誘導体、ワックスエマルション、脂肪酸、塩化Ｎ，Ｎ−ビス（ステアロイル−オキシ−エチル）Ｎ，Ｎ−ジメチルアンモニウム、塩化Ｎ，Ｎ−ビス（タロウオイル−オキシ−エチル）Ｎ，Ｎ−ジメチルアンモニウム、メチル硫酸Ｎ，Ｎ−ビス（ステアロイル−オキシ−エチル）Ｎ−（２ヒドロキシエチル）Ｎ−メチルアンモニウム、及びそれらの混合物からなる群から選択されること、
ｂ）前記付着助剤ポリマーは、前記組成物のｐＨにおいて、約０．００５ｍｅｑ／ｇ〜約２３ｍｅｑ／ｇ、好ましくは約０．０１ｍｅｑ／ｇ〜約１２ｍｅｑ／ｇ、最も好ましくは約０．１ｍｅｑ／ｇ〜約７ｍｅｑ／ｇの正電荷を有するカチオン性ポリマーを含むこと、
ｃ）前記香料送達系は、香料マイクロ封入体又は水分活性化香料マイクロ封入体（該マイクロ封入体は、ポリアクリレート、及び／又はアルデヒドにより架橋されているポリマーを含むシェルを含んでおり、好ましくは前記シェルは、ポリアクリレート、ポリウレア、ポリウレタン、ポリアミン、アルデヒドにより架橋されているウレアから選択されるポリマー、又はアルデヒドにより架橋されているメラミンを含み、より好ましくは、前記ポリマーは、メラミン−ホルムアルデヒド、ウレア−ホルムアルデヒド、フェノール−ホルムアルデヒド又はホルムアルデヒドとの他の縮合ポリマーからなる群から選択される）、香料担体及びカプセル封入香料組成物（前記香料担体は、シクロデキストリン、デンプンマイクロ封入体、多孔性担体マイクロ封入体及びそれらの混合物からなる群から選択することができる）からなる群から選択される構成成分を含むこと、前記カプセル封入香料組成物は、低揮発性香料成分、高揮発性香料成分及びそれらの混合物を含むことができること、
ｄ）前記酵素は、プロテアーゼ、アミラーゼ、リパーゼ、マンナーゼ、セルラーゼ、キシログルカナーゼ、ペクチン酸リアーゼ、及びそれらの混合物からなる群から選択されること、
ｅ）前記構造化剤は、水素化ヒマシ油；水素化ヒマシ油の誘導体；マイクロフィブリル状セルロース；ヒドロキシ官能性結晶性材料、長鎖脂肪アルコール、１２−ヒドロキシステアリン酸；粘土；及びそれらの混合物から選択されること、
ｆ）前記ポリマー分散化剤は、ポリカルボキシレート、汚れ放出ポリマー、カルボキシメチルセルロース、ポリ（ビニルピロリドン）、ポリ（エチレングリコール）、ポリ（ビニルアルコール）、ポリ（ビニルピリジン−Ｎ−オキシド）、ポリ（ビニルイミダゾール）、双性エトキシル化四級化硫酸化ヘキサメチレンジアミン、アルコキシル化ポリアルキレンイミン、エトキシル化ポリアミン、ポリエチレングリコール−ポリビニルアセテートからなる群から選択され、
ｇ）前記色調剤は、低分子染料、ポリマー染料、染料粘土複合体及び顔料からなる群から選択され、及び
ｈ）前記オリゴアミンは、ポリエーテルアミンからなる群から選択されること、
ｉ）それらの混合物
を含む。
【００５８】
好ましくは、前記組成物の消泡剤の有機修飾シリコーンは、２７〜３３モルパーセントの２−フェニルプロピルメチル部分を含む。好ましくは、前記有機修飾シリコーンのＲ２部分はそれぞれ、Ｈ、脂肪族基を介してケイ素に共有結合している芳香族炭化水素ラジカル、炭素環原子を介してケイ素原子に結合している、場合により置換されている、一価の芳香族炭化水素ラジカル、場合によりヘテロ原子を含む、ＳｉＣ−結合している、場合により置換されている、一価の脂肪族炭化水素ラジカル、Ｓｉ−Ｘ−Ｃ−結合している場合により置換されている、一価の脂肪族炭化水素ラジカル（Ｘは、ヘテロ原子であり、好ましくは、Ｘは、硫黄、窒素又はリンである）、−ＳＨ及び−ＮＨ２からなる群から独立して選択される。
【００５９】
好ましくは、前記組成物は、組成物の総重量に対して、約０．０１％〜約５．０％、好ましくは約０．０２％〜約２％、より好ましくは約０．０５％〜約１％の前記消泡剤を含む。
【００６０】
作製プロセス
本明細書において開示及び／又は特許請求されている消泡剤組成物は、実施例を含む、本明細書の教示にしたがって、作製することができる。一態様では、シリカが、インシチュでの疎水化を必要とする場合、消泡剤組成物のプロセスは、カリウムメトキシド、水酸化カリウム、ナトリウムメトキシド及び水酸化ナトリウムなどの適切な触媒の存在下、高温で、シリカ、有機修飾シリコーン、シリコーン樹脂及び／又は他の処理剤を一緒に混合する、加熱工程を含むことができる。
【００６１】
本明細書において開示及び／又は特許請求されている消費者製品は、実施例を含む、本明細書の教示にしたがって、作製することができる。一態様では、こうした消費者は、本明細書において開示及び／又は特許請求されている１つ以上の消泡剤組成物と補助成分とを混合することにより作製することができる。
【００６２】
使用方法
一態様では、部位の処置及び／又は清浄方法であって、
ａ）場合により、前記部位を洗浄及び／又はすすぐ工程と、
ｂ）前記部位に、本明細書において開示又は特許請求されている消泡剤組成物及び／又は消費者製品を接触させる工程と、
ｃ）場合により、前記部位を洗浄及び／又はすすぐ工程と、
ｄ）場合により、前記部位を受動的又は能動的乾燥により乾燥する工程と、
を含む、方法が開示される。
【００６３】
補助物質
本発明の消費者製品の実施形態の各々に必須ではないが、以下に例示されている補助剤の非限定的なリストは、本消費者製品での使用に好適であり、たとえば、性能を補助若しくは向上させるために、清浄される基材の処置のために、又は香料、着色剤、染料などを用いる場合のように組成物の審美性を改変するために、望ましくは本発明のある種の実施形態に組み込まれてもよい。このような追加的な構成成分の正確な性質及びそれを組み込むレベルは、本組成物の物理形態及び使用される操作の性質に依存することになろう。好適な補助成分としては、以下に限定されないが、界面活性剤、色調ケアポリマー、付着助剤、界面活性剤強化ポリマー、ｐＨ調節剤、製品色調安定剤、保存剤、溶媒、ビルダー、キレート剤、移染防止剤、分散剤、酵素及び酵素安定剤、触媒材料、漂白剤、漂白活性化剤、ポリマー分散化剤、粘土の汚れ除去／再付着防止剤、増白剤、泡抑制剤、染料、ＵＶ吸収剤、香料及び香料送達系、構造弾性化剤、増粘剤／構造化剤、布地柔軟剤、担体、向水性物質、オリゴアミン、加工助剤、色調剤、及び／又は顔料が挙げられる。
【００６４】
上述のとおり、補助成分は、本発明の消費者製品の実施形態の各々に必須ではない。したがって、本出願者らの組成物ある種の実施形態は、以下の補助成分：界面活性剤、色調ケアポリマー、付着助剤、界面活性剤強化ポリマー、ｐＨ調節剤、製品色調安定剤、保存剤、溶媒、ビルダー、キレート剤、移染防止剤、分散剤、酵素及び酵素安定剤、触媒材料、漂白剤、漂白活性化剤、ポリマー分散化剤、粘土の汚れ除去／再付着防止剤、増白剤、泡抑制剤、染料、ＵＶ吸収剤、香料及び香料送達系、構造弾性化剤、増粘剤／構造化剤、布地柔軟剤、担体、向水性物質、オリゴアミン、加工助剤、色調剤、及び／又は顔料の１種以上を含有しない。しかし、１種以上の補助剤が存在する場合、このような１種以上の補助剤は、以下に詳述されているとおり存在してもよい。
【００６５】
界面活性剤
一部の例では、追加の界面活性剤は、１種以上のアニオン性界面活性剤を含む。一部の例では、追加の界面活性剤は、１種以上のアニオン性界面活性剤から本質的になってもよく、又は更には１種以上のアニオン性界面活性剤からなってもよい。
【００６６】
好適なアニオン性界面活性剤の具体的な非限定例としては、任意の従来的なアニオン性界面活性剤が挙げられる。これは、たとえばアルコキシル化及び／又は非アルコキシル化アルキルサルフェート材料用のサルフェート洗浄性界面活性剤、及び／又はスルホン酸洗浄性界面活性剤、たとえばアルキルベンゼンスルホネートを含んでもよい。
【００６７】
アルコキシル化アルキルサルフェート材料は、アルキルエーテルサルフェート又はアルキルポリエトキシレートサルフェートとしても公知のエトキシル化アルキルサルフェート界面活性剤を含む。エトキシル化アルキルサルフェートの例としては、水溶性塩、特に約８個〜約３０個の炭素原子を含有するアルキル基及びスルホン酸及びその塩をその分子構造中に有する有機硫黄反応生成物のアルカリ金属塩、アンモニウム塩及びアルキロールアンモニウム塩が挙げられる。用語「アルキル」には、アシル基のアルキル部分が含まれる。一部の例では、アルキル基は、約１５個の炭素原子〜約３０個の炭素原子を含有する。他の例では、アルキルエーテルサルフェート界面活性剤は、約１２〜３０個の炭素原子の範囲内の平均（算術平均）炭素鎖長、及び一部の例では約１２〜１５個の炭素原子の平均炭素鎖長、並びに約１ｍｏｌ〜４ｍｏｌのエチレンオキシドの平均（算術平均）エトキシル化度、及び一部の例では約１．８ｍｏｌから約４ｍｏｌのエチレンオキシドの平均（算術平均）エトキシル化度を有する、アルキルエーテルサルフェートの混合物であってもよい。更なる例では、アルキルエーテルサルフェート界面活性剤は、約１０個の炭素原子〜約１８個の炭素原子の間の炭素鎖長、及び約１〜約６ｍｏｌのエチレンオキシドのエトキシル化度を有してもよい。更なる例では、本アルキルエーテルサルフェート界面活性剤は、ピークのあるエトキシル化分布を含んでもよい。
【００６８】
非エトキシル化アルキルサルフェートはまた、開示されている清浄組成物に添加されて、アニオン性界面活性剤の構成成分として使用されてもよい。非アルコキシル化、たとえば非エトキシル化アルキルサルフェート界面活性剤の例としては、高級Ｃ８〜Ｃ２０脂肪アルコールの硫酸化により生成されるものが挙げられる。一部の例では、一級アルキルサルフェート界面活性剤は、一般式ＲＯＳＯ３−Ｍ＋を有し、式中、Ｒは、通常、線状のＣ８〜Ｃ２０ヒドロカルビル基であり、この基は、直鎖であってもよく又は分岐鎖であってもよく、Ｍは水溶性カチオンである。一部の例では、ＲはＣ１０〜Ｃ１５アルキルであり、Ｍはアルカリ金属である。別の例では、ＲはＣ１２〜Ｃ１４アルキルであり、Ｍはナトリウムである。
【００６９】
他の有用なアニオン性界面活性剤は、アルキル基が約９〜約１５個の炭素原子を直鎖状（線状）又は分岐状鎖状の配置で含有するアルキルベンゼンスルホネートのアルカリ金属塩を含むことができる。一部の例では、アルキル基は線状である。こうした線状アルキルベンゼンスルホネートは、「ＬＡＳ」として公知である。他の例では、線状アルキルベンゼンスルホネートは、アルキル基中に約１１〜１４個の平均炭素原子数を有することができる。具体的な例では、線状直鎖アルキルベンゼンスルホネートは、アルキル基中に、約１１．８個の炭素原子の平均炭素原子数を有することができ、これは、Ｃ１１．８  ＬＡＳと略称されることがある。
【００７０】
好適なアルキルベンゼンスルホネート（ＬＡＳ）は、市販の線状アルキルベンゼン（ＬＡＢ）をスルホン化することにより得ることができる。好適なＬＡＢとしては、Ｉｓｏｃｈｅｍ（登録商標）という商標名でＳａｓｏｌにより供給されているもの、又はＰｅｔｒｅｓａによりＰｅｔｒｅｌａｂ（登録商標）という商標名で供給されているものなどの低級２−フェニルＬＡＢが挙げられ、他の好適なＬＡＢとしては、Ｈｙｂｌｅｎｅ（登録商標）という商標名でＳａｓｏｌにより供給されているものなどの高級２−フェニルＬＡＢが挙げられる。好適なアニオン性洗浄性界面活性剤は、ＤＥＴＡＬにより触媒される方法によって得られるアルキルベンゼンスルホネートであるが、ＨＦなどの他の合成経路が好適な場合もある。一態様では、ＬＡＳのマグネシウム塩が使用される。
【００７１】
洗浄性界面活性剤は、中鎖分岐状洗浄性界面活性剤、一部の態様では、中鎖分岐状アニオン性洗浄性界面活性剤、一部の態様では、中鎖分岐状アルキルサルフェート及び／又は中鎖分岐状アルキルベンゼンスルホネート、たとえば中鎖分岐状アルキルサルフェートであってもよい。一態様では、中鎖分枝は、Ｃ１〜４アルキル基、通常、メチル及び／又はエチル基である。
【００７２】
本明細書において有用な他のアニオン性界面活性剤は、パラフィンスルホネート、及び約８〜約２４個（及び、一部の例では、約１２〜１８個の）の炭素原子を含有する二級アルカンスルホネート、アルキルグリセリルエーテルスルホネート、とりわけＣ８〜１８アルコール（たとえば、タロウ及びココナッツ油に由来するもの）のこうしたエーテルの水溶性塩である。アルキルベンゼンスルホネートと上記のパラフィンスルホネート、二級アルカンスルホネート及びアルキルグリセリルエーテルスルホネートとの混合物も有用である。更なる好適なアニオン性界面活性剤としては、メチルエステルスルホネート及びアルキルエーテルカルボキシレートが挙げられる。
【００７３】
アニオン性界面活性剤は酸形で存在してもよく、この酸形態は、中和されて界面活性剤の塩を形成してもよい。通常の中和剤としては、水酸化物、たとえばＮａＯＨ又はＫＯＨなどの金属対イオン塩基が挙げられる。その酸形態にあるアニオン性界面活性剤の更なる好適な中和剤としては、アンモニア、アミン又はアルカノールアミンが挙げられる。アルカノールアミンの非限定例としては、モノエタノールアミン、ジエタノールアミン、トリエタノールアミン、及び当分野で公知の他の線状又は分岐状アルカノールアミンが挙げられる。好適なアミンアルカノールアミンとしては、２−アミノ−１−プロパノール、１−アミノプロパノール、モノイソプロパノールアミン又は１−アミノ−３−プロパノールが挙げられる。アミン中和は完全又は部分的な程度で行われてもよく、たとえばアニオン性界面活性剤混合物の一部はナトリウム又はカリウムにより中和されてもよく、アニオン性界面活性剤の一部はアミン又はアルカノールアミンにより中和されてもよい。
【００７４】
非イオン性界面活性剤
一部の態様では、追加の界面活性剤は、１つ以上の非イオン性界面活性剤を含む。ある種の態様では、洗剤組成物は、本組成物の重量基準で、約０．１％〜約４０％の、１つ以上の非イオン性界面活性剤から選択される追加の界面活性剤を含む。ある種の態様では、洗剤組成物は、本組成物の重量基準で、約０．１％〜約１５％の、１つ以上の非イオン性界面活性剤から選択される追加の界面活性剤を含む。更なる態様では、洗剤組成物は、本組成物の重量基準で、約０．３％〜約１０％の、１つ以上の非イオン性界面活性剤から選択される追加の界面活性剤を含む。
【００７５】
本明細書で有用な、好適な非イオン性界面活性剤は、任意の従来の非イオン性界面活性剤を含んでもよい。これらには、たとえば、アルコキシル化脂肪族アルコール、及びアミンオキシド界面活性剤が含まれ得る。一部の例では、本清浄組成物は、エトキシル化非イオン性界面活性剤を含有してもよい。非イオン性界面活性剤は、式Ｒ（ＯＣ２Ｈ４）ｎＯＨ（式中、Ｒは、約８〜約１７個の炭素原子を含有する脂肪族炭化水素ラジカル及びアルキル基が約８〜約１２個の炭素原子を含有するアルキルフェニル基からなる群から選択され、ｎの平均値は、約５〜約１５である）のエトキシル化アルコール及びエトキシル化アルキルフェノールから選択することができる。一例では、非イオン性界面活性剤は、アルコール中に平均約２４個の炭素原子及びアルコール１モルあたりエチレンオキシド約９モルの平均エトキシル化度を有するエトキシル化アルコールから選択される。
【００７６】
本明細書において有用な非イオン性界面活性剤の別の非限定例にとしては、Ｓｈｅｌｌからの非イオン性界面活性剤である、ＮＥＯＤＯＬ（登録商標）などのＣ８〜Ｃ１８アルキルエトキシレート；Ｃ６〜Ｃ１２アルキルフェノールアルコキシレート（アルコキシレート単位が、エチレンオキシ単位、プロピレンオキシ単位又はそれらの混じりとすることができる）；ＢＡＳＦからのＰｌｕｒｏｎｉｃ（登録商標）などのエチレンオキシド／プロピレンオキシドブロックポリマーを含む、Ｃ１２〜Ｃ１８アルコールとＣ６〜Ｃ１２アルキルフェノールの縮合物；Ｃ１４〜Ｃ２２中鎖分岐状アルコール、アルキルポリサッカライド、ポリヒドロキシ脂肪酸アミド、及びエーテルによりキャップしたポリ（オキシアルキル化）アルコール界面活性剤が挙げられる。
【００７７】
好適な非イオン性洗浄性界面活性剤はまた、アルキルポリグルコシド及びアルキルアルコキシル化アルコールを含む。好適な非イオン性界面活性剤はまた、ＢＡＳＦからＬｕｔｅｎｓｏｌ（登録商標）という商標名で販売されているものを含む。
【００７８】
一部の態様では、非イオン性界面活性剤は、Ｃ８〜１８アルキルアルコキシル化アルコール、たとえばＣ８〜１８アルキルエトキシル化アルコールなどのアルキルアルコキシル化アルコールから選択される。アルキルアルコキシル化アルコールは、約１〜約５０、又は約１〜約３０、又は約１〜約２０、又は約１〜約１０の平均アルコキシル化度を有することができる。特定の態様では、アルキルアルコキシル化アルコールは、約１〜約１０、又は約１〜約７、又は約１〜約５、又は約３〜約７の平均エトキシル化度を有するＣ８〜１８アルキルエトキシル化アルコールである。アルキルアルコキシル化アルコールは、線状又は分岐状、置換又は非置換とすることができる。
【００７９】
カチオン性界面活性剤
一部の例では、追加の界面活性剤は、１つ以上のカチオン性界面活性剤を含む。
【００８０】
ある種の態様では、洗剤組成物は、本組成物の重量基準で、約０．１％〜約１０％の、１つ以上のカチオン性界面活性剤から選択される追加の界面活性剤を含む。ある種の態様では、洗剤組成物は、本組成物の重量基準で、約０．１％〜約７％の、１つ以上のカチオン性界面活性剤から選択される追加の界面活性剤を含む。更なる態様では、洗剤組成物は、本組成物の重量基準で、約０．３％〜約５％の、１つ以上のカチオン性界面活性剤から選択される追加の界面活性剤を含む。一部の態様では、本発明の清浄組成物は、カチオン性界面活性剤、及びｐＨ７未満又はｐＨ６未満でカチオン性となる界面活性剤を実質的に含まない。カチオン性界面活性剤の非限定例としては、最大２６個の炭素原子を有することができる四級アンモニウム界面活性剤であって、アルコキシレート四級アンモニウム（ＡＱＡ）界面活性剤、塩化ジメチルヒドロキシエチルラウリルアンモニウム；ポリアミンカチオン性界面活性剤；カチオン性エステル界面活性剤及びアミノ界面活性剤、具体的には、アミドプロピルジメチルアミン（ＡＰＡ）及び／又はトリメチルアンモニウムＣ８〜１６アルキル塩を含む、四級アンモニウム界面活性剤が挙げられる。
【００８１】
好適なカチオン性洗浄性界面活性剤としてはまた、アルキルピリジニウム化合物、アルキル四級アンモニウム化合物、アルキル四級ホスホニウム化合物、アルキル三級スルホニウム化合物、及びそれらの混合物も挙げられる。
【００８２】
好適なカチオン性浄性界面活性剤は、一般式：
（Ｒ）（Ｒ１）（Ｒ２）（Ｒ３）Ｎ＋Ｘ−
（式中、Ｒは線状若しくは分岐状の置換若しくは非置換Ｃ６〜１８アルキル又はアルケニル部分であり、Ｒ１及びＲ２はメチル又はエチル部分から独立して選択され、Ｒ３はヒドロキシル、ヒドロキシメチル又はヒドロキシエチル部分であり、Ｘは電荷の中性をもたらすアニオンであり、好適なアニオンとしてはハロゲン化物イオン、たとえば塩化物イオン、サルフェート及びスルホネートが挙げられる）を有する四級アンモニウム化合物である。好適なカチオン性洗浄性界面活性剤は、塩化モノ−Ｃ６〜１８アルキルモノ−ヒドロキシエチルジ−メチル四級アンモニウムである。非常に好適なカチオン性洗浄性界面活性剤は、塩化モノ−Ｃ８〜１０アルキルモノ−ヒドロキシエチルジ−メチル四級アンモニウム、塩化モノ−Ｃ１０〜１２アルキルモノ−ヒドロキシエチルジ−メチル四級アンモニウム及び塩化モノ−Ｃ１０アルキルモノ−ヒドロキシエチルジ−メチル四級アンモニウムである。
【００８３】
双性イオン性界面活性剤
双性イオン性界面活性剤の例としては、二級及び三級アミン誘導体、複素環式二級及び三級アミン誘導体、又は四級アンモニウム、四級ホスホニウム化合物若しくは三級スルホニウム化合物の誘導体が挙げられる。具体例としては、Ｃ８〜Ｃ１８（たとえば、Ｃ１２〜Ｃ１８）アミンオキシド、並びにＮ−アルキル−Ｎ，Ｎ−ジメチルアミノ−１−プロパンスルホネートなどのスルホ及びヒドロキシベタインが挙げられる（ここで、アルキル基は、Ｃ８〜Ｃ１８、及びある種の実施形態ではＣ１０〜Ｃ１４とすることができる）。
【００８４】
両性界面活性剤
両性界面活性剤の例としては、二級又は三級アミンの脂肪族誘導体、又は複素環式二級及び三級アミンの脂肪族誘導体（脂肪族ラジカルが直鎖又は分岐鎖であってもよく、脂肪族置換基の１つが少なくとも約８個の炭素原子、通常、約８〜約１８個の炭素原子を含有し、脂肪族置換基の少なくとも１つはアニオン性水溶性基、たとえばカルボキシ、スルホネート、サルフェートを含む）が挙げられる。この定義の範疇に入る化合物の例は、３−（ドデシルアミノ）プロピオン酸ナトリウム、３−（ドデシルアミノ）プロパン−１−スルホン酸ナトリウム、２−（ドデシルアミノ）エチル硫酸ナトリウム、２−（ジメチルアミノ）オクタデカン酸ナトリウム、３−（Ｎ−カルボキシメチルドデシルアミノ）プロパン１−スルホン酸二ナトリウム、オクタデシル−イミノ二酢酸二ナトリウム、１−カルボキシメチル−２−ウンデシルイミダゾールナトリウム、及び、Ｎ，Ｎ−ビス（２−ヒドロキシエチル）−２−スルファト−３−ドデコキシプロピルアミンナトリウムである。好適な両性界面活性剤はまた、サルコシネート、グリコシネート、タウリネート、及びそれらの混合物も含む。
【００８５】
分岐状界面活性剤
一部の例では、界面活性剤は分岐状界面活性剤であってもよく、好適な分岐状界面活性剤としては、分岐状サルフェート又は分岐状スルホネート界面活性剤、たとえば、分岐状アルキルサルフェート、分岐状アルキルアルコキシル化サルフェート、及び分岐状アルキルベンゼンスルホネートから選択され、１つ以上のランダムアルキル分岐、たとえば、Ｃ１〜４アルキル基、通常、メチル基及び／又はエチル基を含む、アニオン性分岐状界面活性剤が挙げられる。
【００８６】
一部の態様では、分岐状洗浄性界面活性剤は、中鎖分岐状洗浄性界面活性剤、通常、中鎖分岐状アニオン性洗浄性界面活性剤、たとえば中鎖分岐状アルキルサルフェート及び／又は中鎖分岐状アルキルベンゼンスルホネートである。一部の態様では、洗浄性界面活性剤は、中鎖分岐状アルキルサルフェートである。一部の態様では、中鎖分岐は、Ｃ１〜４アルキル基、通常、メチル基及び／又はエチル基である。
【００８７】
酵素
本明細書に記載されている清浄組成物は、清浄性能及び／又は布地ケアの恩恵をもたらす１種以上の酵素を含むことができる。好適な酵素の例としては、以下に限定されないが、ヘミセルラーゼ、ペルオキシダーゼ、プロテアーゼ、セルラーゼ、キシラナーゼ、リパーゼ、キシログルカナーゼ、ホスホリパーゼ、エステラーゼ、クチナーゼ、ペクチナーゼ、マンナナーゼ、ペクチン酸リアーゼ、ケラチナーゼ、レダクターゼ、オキシダーゼ、フェノールオキシダーゼ、リポキシゲナーゼ、リグニナーゼ、プルラナーゼ、タンナーゼ、ペントサナーゼ、マラナーゼ、β−グルカナーゼ、アラビノシダーゼ、ヒアルロニダーゼ、コンドロイチナーゼ、ラッカーゼ及びアミラーゼ、又はそれらの混合物が挙げられる。典型的な組合せは、たとえば、プロテアーゼ及びリパーゼをアミラーゼとともに含み得る酵素カクテルである。前述の追加の酵素は、洗剤組成物中に存在する場合、該洗剤組成物の重量基準で、約０．００００１％〜約２％、約０．０００１％〜約１％、又は更には約０．００１％〜約０．５％の酵素タンパク質のレベルで存在してもよい。
【００８８】
一態様では、好ましい酵素は、プロテアーゼを含むと思われる。好適なプロテアーゼとしては、メタロプロテアーゼ及びサブチリシン（ＥＣ  ３．４．２１．６２）などの、中性又はアルカリ性微生物セリンプロテアーゼを含む、セリンプロテアーゼが挙げられる。好適なプロテアーゼとしては、動物、植物又は微生物由来のものが挙げられる。一態様では、こうした好適なプロテアーゼは、微生物由来のものであってもよい。好適なプロテアーゼには、上述の好適なプロテアーゼの化学的又は遺伝的に修飾された変異体が含まれる。一態様では、好適なプロテアーゼは、アルカリ性微生物プロテアーゼ又は／及びトリプシン型プロテアーゼなどのセリンプロテアーゼであってもよい。好適な中性又はアルカリ性プロテアーゼの例としては、
が挙げられる。
（ａ）サブチリシン（ＥＣ  ３．４．２１．６２）（米国特許第６，３１２，９３６（Ｂ１）号、同第５，６７９，６３０号、同第４，７６０，０２５号、同第７，２６２，０４２号及び国際公開第０９／０２１８６７号において記載されている、バチルス・レンツス（Bacillus lentus）、Ｂ・アルカロフィルス（B.alkalophilus）、Ｂ・ズブチリス（B.subtilis）、Ｂ・アミロリケファシエンス（B.amyloliquefaciens）、バチルス・プミルス（Bacillus pumilus）及びバチルス・ギブソニイ（Bacillus gibsonii）などのバチルス属に由来するものを含む）。
（ｂ）トリプシン型又はキモトリプシン型プロテアーゼ（フサリウム（Fusarium）プロテアーゼを含めた、たとえば、ブタ又はウシ由来のトリプシンなど）。
（ｃ）メタロプロテアーゼ（バチルス・アミロリケファシエンスに由来するものを含む）。好ましいプロテアーゼとしては、バチルス・ギブソニイ又はバチルス・レンツスに由来するものが挙げられる。
【００８９】
好適な市販のプロテアーゼ酵素としては、Ｎｏｖｏｚｙｍｅｓ  Ａ／Ｓ（デンマーク）より、Ａｌｃａｌａｓｅ（登録商標）、Ｓａｖｉｎａｓｅ（登録商標）、Ｐｒｉｍａｓｅ（登録商標）、Ｄｕｒａｚｙｍ（登録商標）、Ｐｏｌａｒｚｙｍｅ（登録商標）、Ｋａｎｎａｓｅ（登録商標）、Ｌｉｑｕａｎａｓｅ（登録商標）、Ｌｉｑｕａｎａｓｅ  Ｕｌｔｒａ（登録商標）、Ｓａｖｉｎａｓｅ  Ｕｌｔｒａ（登録商標）、Ｏｖｏｚｙｍｅ（登録商標）、Ｎｅｕｔｒａｓｅ（登録商標）、Ｅｖｅｒｌａｓｅ（登録商標）及びＥｓｐｅｒａｓｅ（登録商標）の商標名で販売されているもの、Ｇｅｎｅｎｃｏｒ  Ｉｎｔｅｒｎａｔｉｏｎａｌより、Ｍａｘａｔａｓｅ（登録商標）、Ｍａｘａｃａｌ（登録商標）、Ｍａｘａｐｅｍ（登録商標）、Ｐｒｏｐｅｒａｓｅ（登録商標）、Ｐｕｒａｆｅｃｔ（登録商標）、Ｐｕｒａｆｅｃｔ  Ｐｒｉｍｅ（登録商標）、Ｐｕｒａｆｅｃｔ  Ｏｘ（登録商標）、ＦＮ３（登録商標）、ＦＮ４（登録商標）、Ｅｘｃｅｌｌａｓｅ（登録商標）及びＰｕｒａｆｅｃｔ  ＯＸＰ（登録商標）の商標名で販売されているもの、Ｓｏｌｖａｙ  Ｅｎｚｙｍｅｓより、Ｏｐｔｉｃｌｅａｎ（登録商標）及びＯｐｔｉｍａｓｅ（登録商標）の商標名で販売されているもの、Ｈｅｎｋｅｌ／Ｋｅｍｉｒａから入手可能なもの、すなわちＢＬＡＰ（以下の変異Ｓ９９Ｄ＋Ｓ１０１Ｒ＋Ｓ１０３Ａ＋Ｖ１０４Ｉ＋Ｇ１５９Ｓを有する、米国特許第５，３５２，６０４号の図２９で示される配列、これ以降ＢＬＡＰと呼ぶ）、ＢＬＡＰ  Ｒ（Ｓ３Ｔ＋Ｖ４Ｉ＋Ｖ１９９Ｍ＋Ｖ２０５Ｉ＋Ｌ２１７Ｄを有するＢＬＡＰ）、ＢＬＡＰ  Ｘ（Ｓ３Ｔ＋Ｖ４Ｉ＋Ｖ２０５Ｉを有するＢＬＡＰ）及びＢＬＡＰ  Ｆ４９（Ｓ３Ｔ＋Ｖ４Ｉ＋Ａ１９４Ｐ＋Ｖ１９９Ｍ＋Ｖ２０５Ｉ＋Ｌ２１７Ｄを有するＢＬＡＰ）（すべてＨｅｎｋｅｌ／Ｋｅｍｉｒａより）、及び花王からのＫＡＰ（変異体Ａ２３０Ｖ＋Ｓ２５６Ｇ＋Ｓ２５９Ｎを有するバチルス・アルカロフィルスサブチリシン（Bacillus alkalophilus subtilisin））が挙げられる。
【００９０】
好適なα−アミラーゼとしては、細菌又は真菌由来のものが挙げられる。化学的に又は遺伝的に修飾された突然変異体（変異体）が含まれる。好ましいアルカリ性α−アミラーゼは、バチルス属の菌株に由来する（バチルス・リケニフォルミス（Bacillus licheniformis）、バチルス・アミロリケファシエンス、バチルス・ステアロテルモフィルス（Bacillus stearothermophilus）、バチルス・サブチリス又は他のバチルス属（バチルス属であるＮＣＩＢ  １２２８９、ＮＣＩＢ  １２５１２、ＮＣＩＢ  １２５１３、ＤＳＭ  ９３７５（米国特許第７，１５３，８１８号）、ＤＳＭ  １２３６８、ＤＳＭＺ  ｎｏ．１２６４９、ＫＳＭ  ＡＰ１３７８（国際公開第９７／００３２４号）、ＫＳＭ  Ｋ３６又はＫＳＭ  Ｋ３８（欧州特許第１，０２２，３３４号）など）など）。好ましいアミラーゼとしては、
が挙げられる。
（ａ）国際公開第９６／２３８７４号において配列番号２として列挙されている酵素に対して、位置：１５、２３、１０５、１０６、１２４、１２８、１３３、１５４、１５６、１８１、１８８、１９０、１９７、２０２、２０８、２０９、２４３、２６４、３０４、３０５、３９１、４０８及び４４４の１つ又は複数において置換を有する変異体。
（ｂ）配列番号１２として列挙されているＡＡ５６０酵素に対して、位置：
２６、３０、３３、８２、３７、１０６、１１８、１２８、１３３、１４９、１５０、１６０、１７８、１８２、１８６、１９３、２０３、２１４、２３１、２５６、２５７、２５８、２６９、２７０、２７２、２８３、２９５、２９６、２９８、２９９、３０３、３０４、３０５、３１１、３１４、３１５、３１８、３１９、３３９、３４５、３６１、３７８、３８３、４１９、４２１、４３７、４４１、４４４、４４５、４４６、４４７、４５０、４６１、４７１、４８２、４８４の１つ又は複数の置換において有する変異体であって、好ましくはＤ１８３＊及びＧ１８４＊の欠損もやはり含有する変異体。
（ｃ）国際公開第０６／００２６４３号における配列番号４、バチルス属ＳＰ７２２からの野生型酵素と少なくとも９０％の同一性を示す変異体、とりわけ１８３及び１８４位に欠損を有する変異体及び参照により本明細書中に組み込まれている国際公開第００／６００６０号に記載されている変異体、
（ｄ）バチルス属７０７（米国特許第６，０９３，５６２号の配列番号７）に由来する野生型酵素と少なくとも９５％の同一性を示す変異体、とりわけ、変異Ｍ２０２、Ｍ２０８、Ｓ２５５、Ｒ１７２及び／又はＭ２６１を１つ又は複数含むもの。好ましくは、前記アミラーゼは、Ｍ２０２Ｌ、Ｍ２０２Ｖ、Ｍ２０２Ｓ、Ｍ２０２Ｔ、Ｍ２０２Ｉ、Ｍ２０２Ｑ、Ｍ２０２Ｗ、Ｓ２５５Ｎ及び／又はＲ１７２Ｑのうちの１つ又は複数を含む。特に好ましいものは、Ｍ２０２Ｌ又はＭ２０２Ｔ突然変異体を含むものである。
（ｅ）国際公開第０９／１４９１３０号に記載されている変異体、好ましくは国際公開第０９／１４９１３０号において配列番号１又は配列番号２と少なくとも９０％の同一性を有する変異体、ゲオバチルス・ステアロフェルモフィルス（Geobacillus Stearophermophilus）に由来する野生型酵素又はその切断版。
【００９１】
好適な市販のα−アミラーゼとしては、ＤＵＲＡＭＹＬ（登録商標）、ＬＩＱＵＥＺＹＭＥ（登録商標）、ＴＥＲＭＡＭＹＬ（登録商標）、ＴＥＲＭＡＭＹＬ  ＵＬＴＲＡ（登録商標）、ＮＡＴＡＬＡＳＥ（登録商標）、ＳＵＰＲＡＭＹＬ（登録商標）、ＳＴＡＩＮＺＹＭＥ（登録商標）、ＳＴＡＩＮＺＹＭＥ  ＰＬＵＳ（登録商標）、ＦＵＮＧＡＭＹＬ（登録商標）及びＢＡＮ（登録商標）（Ｎｏｖｏｚｙｍｅｓ  Ａ／Ｓ（Ｂａｇｓｖａｅｒｄ、デンマーク））、ＫＥＭＺＹＭ（登録商標）ＡＴ  ９０００（Ｂｉｏｚｙｍ  Ｂｉｏｔｅｃｈ  Ｔｒａｄｉｎｇ  ＧｍｂＨ（Ｗｅｈｌｉｓｔｒａｓｓｅ  ２７ｂ  Ａ−１２００、Ｗｉｅｎ、オーストリア））、ＲＡＰＩＤＡＳＥ（登録商標）、ＰＵＲＡＳＴＡＲ（登録商標）、ＥＮＺＹＳＩＺＥ（登録商標）、ＯＰＴＩＳＩＺＥ  ＨＴ  ＰＬＵＳ（登録商標）、ＰＯＷＥＲＡＳＥ（登録商標）及びＰＵＲＡＳＴＡＲ  ＯＸＡＭ（登録商標）（Ｇｅｎｅｎｃｏｒ  Ｉｎｔｅｒｎａｔｉｏｎａｌ  Ｉｎｃ．（Ｐａｌｏ  Ａｌｔｏ、Ｃａｌｉｆｏｒｎｉａ））、及びＫＡＭ（登録商標）（花王株式会社（日本、１０３〜８２１０、東京都中央区日本橋茅場町１丁目１４−１０））が挙げられる。一態様では、好適なアミラーゼとしては、ＮＡＴＡＬＡＳＥ（登録商標）、ＳＴＡＩＮＺＹＭＥ（登録商標）、及びＳＴＡＩＮＺＹＭＥ  ＰＬＵＳ（登録商標）、並びにそれらの混合物が挙げられる。
【００９２】
一態様では、こうした酵素は、「第１サイクルのリパーゼ」を含む、リパーゼからなる群から選択することができる。一態様では、リパーゼは第１洗浄用リパーゼ、好ましくはＴ２３１Ｒ及びＮ２３３Ｒ変異の１つ又は複数を含む、サーモマイセス・ラヌギノスス（Thermomyces lanuginosus）由来の野生型リパーゼの変異体である。野生型配列は、Ｓｗｉｓｓｐｒｏｔのアクセッション番号Ｓｗｉｓｓ−Ｐｒｏｔ  Ｏ５９９５２（サーモマイセス・ラヌギノスス（フミコラ・ラヌギノサ（Ｈｕｍｉｃｏｌａ  ｌａｎｕｇｉｎｏｓａ））由来の２６９個のアミノ酸（アミノ酸２３〜２９１）である。好ましいリパーゼとしては、商標名Ｌｉｐｅｘ（登録商標）及びＬｉｐｏｌｅｘ（登録商標）で販売されているものが挙げられると思われる。
【００９３】
一態様では、他の好ましい酵素としては、７，１４１，４０３Ｂ２における配列番号２のアミノ酸配列と少なくとも９０％、９４％、９７％、及び９９％にもなる同一性の配列を有するバチルス属のメンバー及びそれらの混合物に対して内因性を示す細菌ポリペプチドを含めた、エンド−ベータ−１，４−グルカナーゼ活性（Ｅ．Ｃ．３．２．１．４）を示す微生物由来のエンドグルカナーゼが挙げられる。好適なエンドグルカナーゼは、商標名Ｃｅｌｌｕｃｌｅａｎ（登録商標）及びＷｈｉｔｅｚｙｍｅ（登録商標）（Ｎｏｖｏｚｙｍｅｓ  Ａ／Ｓ（Ｂａｇｓｖａｅｒｄ、デンマーク））で販売されている。
【００９４】
他の好ましい酵素としては、商標名Ｐｅｃｔａｗａｓｈ（登録商標）、Ｐｅｃｔａｗａｙ（登録商標）、Ｘｐｅｃｔ（登録商標）として販売されているペクチン酸リアーゼ、及び商標名Ｍａｎｎａｗａｙ（登録商標）（すべてＮｏｖｏｚｙｍｅｓ  Ａ／Ｓ，Ｂａｇｓｖａｅｒｄ、デンマークから）、及びＰｕｒａｂｒｉｔｅ（登録商標）（Ｇｅｎｅｎｃｏｒ  Ｉｎｔｅｒｎａｔｉｏｎａｌ  Ｉｎｃ．，Ｐａｌｏ  Ａｌｔｏ，Ｃａｌｉｆｏｒｎｉａ）で販売されているマンナーゼが挙げられる。
【００９５】
酵素安定化系
本明細書に記載されている酵素含有組成物は、場合により、該組成物の重量基準で、約０．００１％〜約１０％、一部の例では、約０．００５％〜約８％、及びその他の例では、約０．０１％〜約６％の酵素安定化系を含んでもよい。酵素安定化系は、洗浄性酵素と適合性のある任意の安定化系とすることができる。そのような系は、他の配合活性物質によって本質的に供給されてもよく、又は洗剤に使用可能な酵素の配合者若しくは製造業者によって別個に添加されてもよい。そのような安定化系は、たとえば、カルシウムイオン、ホウ酸、プロピレングリコール、短鎖カルボン酸、ボロン酸、塩素漂白剤捕捉剤及びそれらの混合物が含むことができ、清浄組成物のタイプ及び物理形態に応じてさまざまな安定化問題に対処するように設計される。プロテアーゼを含む水性洗剤組成物の場合、ボレート、４−ホルミルフェニルボロン酸、フェニルボロン酸及びそれらの誘導体を含むホウ素化合物などの可逆的プロテアーゼ阻害剤、又はギ酸カルシウム、ギ酸ナトリウム及び１，２−プロパンジオールなどの化合物を添加して、安定性を更に改善してもよい。
【００９６】
ビルダー
本発明の清浄組成物は、場合により、ビルダーを含んでもよい。ビルダー入り清浄組成物は、典型的には、組成物の全重量に対して、少なくとも約１重量％のビルダーを含む。液体清浄組成物は、該組成物の総重量の最大約１０％、及び一部の実施例では、最大８％のビルダーを含み得る。顆粒清浄組成物は、該組成物の重量基準で、最大約３０％、及び一部の例では、最大５％のビルダーを含み得る。
【００９７】
アルミノシリケート（たとえば、ゼオライトＡ、ゼオライトＰ、及びゼオライトＭＡＰなどのゼオライトビルダー）及びシリケートから選択されるビルダーは、洗浄水の無機物の硬度、とりわけ、カルシウム及び／又はマグネシウムの制御の手助けをする、又は表面からの微粒子汚れの除去の手助けをする。好適なビルダーは、ポリホスフェート（たとえば、三ポリリン酸ナトリウム）、とりわけそのナトリウム塩などのホスフェート；炭酸ナトリウム又はセスキ炭酸ナトリウム以外の炭酸塩、重炭酸塩、セスキ炭酸塩及び炭酸塩無機物；有機モノ−、ジ−、トリ−、及びテトラカルボキシレート、とりわけ、酸、ナトリウム、カリウム又はアルカノールアンモニウム塩形態の水溶性非界面活性剤カルボキシレート、並びに脂肪族及び芳香族タイプの水溶性低分子量ポリマーカルボキシレート；及び、フィチン酸からなる群から選択することができる。これらは、たとえばｐＨ緩衝化の目的のためのホウ酸塩によって、又は硫酸塩、とりわけ硫酸ナトリウム、及び安定な界面活性剤及び／又はビルダー含有清浄組成物の工学に重要となり得る任意の他の充填剤又は担体によって補完されてもよい。更なる好適なビルダーは、クエン酸、乳酸、脂肪酸、ポリカルボキシレートビルダー、たとえばアクリル酸のコポリマー、アクリル酸とマレイン酸とのコポリマー、並びにアクリル酸及び／又はマレイン酸とさまざまなタイプの追加の官能基を有するその他の好適なエチレンモノマーとのコポリマーから選択され得る。同様に、本明細書のビルダーとしての使用に好適なものは、鎖構造、及び以下の一般的な無水形態ｘ（Ｍ２Ｏ）ｙＳｉＯ２ｚＭ’Ｏ（式中ＭはＮａ及び／又はＫであり、Ｍ’はＣａ及び／又はＭｇであり、ｙ／ｘは０．５〜２．０であり、ｚ／ｘは０．００５〜１．０である）により表される組成を有する、合成された結晶性イオン交換材料又はその水和物である。
【００９８】
或いは、本組成物はビルダーを実質的に含まなくてもよい。
【００９９】
構造剤／増粘剤
ｉ．ジベンジリデンポリオールアセタール誘導体
本流体洗剤組成物は、約０．０１重量％〜約１重量％、又は約０．０５％〜約０．８％、又は約０．１％〜約０．６％、又は更に約０．３％〜約０．５％のジベンジリデンポリオールアセタール誘導体（ＤＢＰＡ）を含んでもよい。好適なＤＢＰＡ分子の非限定例は、米国特許出願第６１／１６７６０４号に開示されている。一態様では、ＤＢＰＡ誘導体は、ジベンジリデンソルビトールアセタール誘導体（ＤＢＳ）を含んでもよい。前記ＤＢＳ誘導体は、１，３：２，４−ジベンジリデンソルビトール、１，３：２，４−ジ（ｐ−メチルベンジリデン）ソルビトール、１，３：２，４−ジ（ｐ−クロロベンジリデン）ソルビトール、１，３：２，４−ジ（２，４−メチルジメチルジベンジリデン）ソルビトール、１，３：２，４−ジ（ｐ−エチルベンジリデン）ソルビトール及び１，３：２，４−ジ（３，４−ジメチルジベンジリデン）ソルビトール、又はそれらの混合物からなる群から選択することができる。
【０１００】
ｉｉ．細菌セルロース
流体洗剤組成物はまた、約０．００５重量％〜約１重量％の細菌セルロース網状構造を含むことができる。用語「細菌セルロース」は、ＣＰＫｅｌｃｏ  Ｕ．Ｓ．によるＣＥＬＬＵＬＯＮ（登録商標）などのアセトバクター（Acetobacter）属の細菌の発酵により産生される任意のタイプのセルロースを包含し、マイクロフィブリル化セルロース、網状細菌セルロースなどと一般に称される材料を含む。一態様では、前記繊維の断面寸法は、１．６ｎｍ〜３．２ｎｍ×５．８ｎｍ〜１３３ｎｍである。更に、細菌セルロース繊維は、少なくとも約１００ｎｍ、又は約１００〜約１，５００ｎｍの平均マイクロ繊維長を有する。一態様では、細菌セルロースのマイクロ繊維は、平均マイクロ繊維の長さをマイクロ繊維の最大断面幅で除算したものを意味するアスペクト比が、約１００：１〜約４００：１、又は更には約２００：１〜約３００：１を有する。
【０１０１】
ｉｉｉ．被覆された細菌セルロース
一態様では、細菌セルロースは、ポリマー増粘剤で少なくとも部分的に被覆される。一態様では、少なくとも部分的に被覆されている細菌セルロースは、約０．１重量％〜約５重量％、又は更には約０．５重量％〜約３重量％の細菌セルロース、及び約１０重量％〜約９０重量％のポリマー増粘剤を含む。好適な細菌セルロースは、上記細菌セルロースを挙げることができ、好適なポリマー増粘剤としては、カルボキシメチルセルロース、カチオン性ヒドロキシメチルセルロース、及びそれらの混合物を含む。
【０１０２】
ｉｖ．非細菌セルロース由来のセルロース繊維
一態様では、本組成物は、該組成物の重量基準で、約０．０１〜約５％のセルロース繊維を更に含んでもよい。前記セルロース繊維は野菜、果物又は木材から抽出することができる。市販の例は、ＦＭＣからのＡｖｉｃｅｌ（登録商標）、ＦｉｂｅｒｓｔａｒからのＣｉｔｒｉ−Ｆｉ又はＣｏｓｕｎからのＢｅｔａｆｉｂである。
【０１０３】
ｖ．非ポリマー結晶性ヒドロキシル官能性材料
一態様では、本組成物は、該組成物の約０．０１〜約１重量％の非ポリマー結晶性ヒドロキシル官能性構造化剤を更に含んでもよい。前記非ポリマー結晶性ヒドロキシル官能性構造化剤は、一般的に、最終流体洗剤組成物への分散を補助するためにあらかじめ乳化することができる結晶化可能なグリセリドを含んでもよい。一態様では、結晶化可能なグリセリドは、液体洗剤組成物において結晶化させることができるかぎり、水素化ヒマシ油又は「ＨＣＯ」又はその誘導体を含むことができる。
【０１０４】
ｖｉ．ポリマー構造剤
本発明の流体洗剤組成物は、約０．０１重量％〜約５重量％の天然由来及び／又は合成のポリマー構造化剤を含んでもよい。本発明で使用する天然由来のポリマー構造化剤の例としては、ヒドロキシエチルセルロース、疎水変性ヒドロキシエチルセルロース、カルボキシメチルセルロース、ポリサッカライド、及びそれらの混合物が挙げられる。好適なポリサッカライド誘導体としては、ペクチン、アルギネート、アラビノガラクタン（アラビアガム）、カラギーナン、ジェランガム、キサンタンガム、グアーガム、及びそれらの混合物が挙げられる。本発明において用いる合成ポリマー構造化剤の例としては、ポリカルボキシレート、ポリアクリレート、疎水変性エトキシル化ウレタン、疎水変性非イオン性ポリオール、及びそれらの混合物が挙げられる。一態様では、前記ポリカルボキシレートポリマーは、ポリアクリレート、ポリメタクリレート、又はそれらの混合物である。別の態様では、ポリアクリレートは、不飽和モノ−又はジ−炭酸と、（メタ）アクリル酸のＣ１〜Ｃ３０アルキルエステルとのコポリマーである。前記コポリマーは、Ｃａｒｂｏｐｏｌ  Ａｑｕａ  ３０という商標名でＮｏｖｅｏｎ  Ｉｎｃから入手可能である。
【０１０５】
ｖｉｉ．ジアミドゲル化剤
一態様では、本外部構造化系は、約１５０ｇ／ｍｏｌ〜約１，５００ｇ／ｍｏｌ、又は更には約５００ｇ／ｍｏｌ〜約９００ｇ／ｍｏｌの分子量を有するジアミドゲル化剤を含んでもよい。こうしたジアミドゲル化剤は、少なくとも２個の窒素原子を含んでもよく、前記窒素原子の少なくとも２個は、アミド官能性置換基を形成する。一態様では、アミド基は異なっている。別の態様では、アミド官能性基は同じである。
【０１０６】
有用なジアミドゲル化剤の非限定的な例は、
Ｎ，Ｎ’−（２Ｓ，２’Ｓ）−１，１’−（ドデカン−１，１２−ジイルビス（アザンジイル））ビス（３−メチル−１−オキソブタン−２，１−ジイル）ジイソニコチンアミド、ジベンジル（２Ｓ，２’Ｓ）−１，１’−（プロパン−１，３−ジイルビス（アザンジイル））ビス（３−メチル−１−オキソブタン−２，１−ジイル）ジカルバメート、及びジベンジル（２Ｓ，２’Ｓ）−１，１’−（ドデカン−１，１２−ジイルビス（アザンジイル））ビス（１−オキソ−３−フェニルプロパン−２，１−ジイル）ジカルバメート
である。
【０１０７】
ポリマー分散化剤
洗剤組成物は１種以上のポリマー分散化剤を含んでもよい。例は、カルボキシメチルセルロース、ポリ（ビニル−ピロリドン）、ポリ（エチレングリコール）、ポリ（ビニルアルコール）、ポリ（ビニルピリジン−Ｎ−オキシド）、ポリ（ビニルイミダゾール）、ポリアクリレートなどのポリカルボキシレート、マレイン酸／アクリル酸コポリマー、及びメタクリル酸ラウリル／アクリル酸ｃｏ−ポリマーである。
【０１０８】
洗剤組成物は、一般構造ビス（（Ｃ２Ｈ５Ｏ）（Ｃ２Ｈ４Ｏ）ｎ）（ＣＨ３）−Ｎ＋−Ｃ×Ｈ２×−Ｎ＋−（ＣＨ３）−ビス（（Ｃ２Ｈ５Ｏ）（Ｃ２Ｈ４Ｏ）ｎ）、（式中、ｎ＝２０〜３０、及びｘ＝３〜８である）を有する化合物、又はそのサルフェート化又はスルホン化変化体などの１種以上の両親媒性清浄性ポリマーを含んでもよい。
【０１０９】
本洗剤組成物は、布地及び表面からグリース粒子を除去するように、親水性特性と疎水性特性とが釣り合っている両親媒性アルコキシル化グリース清浄ポリマーを含んでもよい。本発明の両親媒性アルコキシル化グリース清浄性ポリマーの具体的な実施形態は、コア構造及びそのコア構造に結合した複数のアルコキシレート基を含む。これらは、たとえば、内側ポリエチレンオキシドブロック及び外側ポリプロピレンオキシドブロックを有するアルコキシル化ポリアルキレンイミンを含んでもよい。こうした化合物としては、以下に限定されないが、エトキシル化ポリエチレンイミン、エトキシル化ヘキサメチレンジアミン、及びこれらをスルフェート化変化体が含まれ得る。ポリプロポキシル化誘導体も含まれ得る。広範なアミン及びポリアルキレンイミンをさまざまな程度にアルコキシル化することができる。有用な例は、ＮＨあたり２０  ＥＯ基までエトキシル化されている６００ｇ／ｍｏｌのポリエチレンイミンコアであり、ＢＡＳＦより入手可能である。本明細書において記載されている清浄組成物は、清浄組成物の重量基準で、約０．１％〜約１０％、一部の例では、約０．１％〜約８％、及び他の例では、約０．１％〜約６％のアルコキシル化ポリアミンを含んでもよい。
【０１１０】
ポリアクリレートから調製されるものなどの、アルコキシル化ポリカルボキシレートは、本明細書において、追加的なグリース除去性能を提供するのに有用である。化学的に、これらの材料は、７〜８個のアクリレート単位ごとに１つのエトキシ側鎖を有するポリアクリレートを含む。側鎖は、式−（ＣＨ２ＣＨ２Ｏ）ｍ（ＣＨ２）ｎＣＨ３であり、式中、ｍは２〜３であり、ｎは６〜１２である。側鎖がポリアクリレート「骨格」にエステル連結されると、「櫛形」ポリマータイプの構造がもたらされる。分子量はさまざまとすることができるが、通常、約２０００〜約５０，０００の範囲内にある。本明細書において記載されている洗剤組成物は、清浄組成物の重量基準で、約０．１％〜約１０％、一部の例では、約０．２５％〜約５％、及びその他の例では、約０．３％〜約２％のアルコキシル化ポリカルボキシレートを含んでもよい。
【０１１１】
好ましい好適な両性グラフトｃｏ−ポリマーには、両性グラフトｃｏ−ポリマーが、（ｉ）ポリエチレングリコール骨格、及び、（ｉｉ）ポリ酢酸ビニル、ポリビニルアルコール及びそれらの混合物から選択される少なくとも１つのペンダント部分を含むことが含まれる。好ましい両親媒性グラフトｃｏ−ポリマーは、ＢＡＳＦから供給されるＳｏｋａｌａｎ（登録商標）ＨＰ２２である。好適なポリマーとしては、ランダムグラフトコポリマー、好ましくは、ポリエチレンオキシド骨格と複数のポリビニルアセテート側鎖とを有するポリビニルアセテートグラフト化ポリエチレンオキシドコポリマーが挙げられる。ポリエチレンオキシド骨格の分子量は、通常、約６０００であり、ポリエチレンオキシドのポリ酢酸ビニルに対する重量比は、約４０〜６０であり、エチレンオキシド単位５０あたり１グラフト点を超えない。
【０１１２】
カルボキシレートポリマー−本発明の洗剤組成物はまた、マレエート／アクリレートランダムコポリマー又はポリアクリレートホモポリマーなどの１種以上のカルボキシレートポリマーを含んでもよい。一態様では、カルボキシレートポリマーは、４，０００Ｄａ〜９，０００Ｄａ、又は６，０００Ｄａ〜９，０００Ｄａの分子量を有するポリアクリレートホモポリマーである。
【０１１３】
汚れ放出ポリマー−本発明の洗剤組成物はまた、以下の構造（Ｉ）、（ＩＩ）又は（ＩＩＩ）の１つにより定義される構造を有する１種以上の汚れ放出ポリマーを含んでもよい。
（Ｉ）        ［（ＯＣＨＲ１−ＣＨＲ２）ａ−Ｏ−ＯＣ−Ａｒ−ＣＯ−］ｄ
（ＩＩ）      −［（ＯＣＨＲ３−ＣＨＲ４）ｂ−Ｏ−ＯＣ−ｓＡｒ−ＣＯ−］ｅ
（ＩＩＩ）    −［（ＯＣＨＲ５−ＣＨＲ６）ｃ−ＯＲ７］ｆ
（式中、
ａ、ｂ及びｃは、１〜２００であり、
ｄ、ｅ及びｆは、１〜５０であり、
Ａｒは、１，４−置換フェニレンであり、
ｓＡｒは、５位においてＳＯ３Ｍｅにより置換されている１，３−置換フェニレンであり、
Ｍｅは、Ｌｉ、Ｋ、Ｍｇ／２、Ｃａ／２、Ａｌ／３、アンモニウム、モノ、ジ、トリ若しくはテトラアルキルアンモニウム、又はそれらの混合物であり、アルキル基は、Ｃ１〜Ｃ１８アルキル又はＣ２〜Ｃ１０ヒドロキシアルキルであり、
Ｒ１、Ｒ２、Ｒ３、Ｒ４、Ｒ５及びＲ６は、Ｈ、又はＣ１〜Ｃ１８のｎ−若しくはイソ−アルキルから独立して選択され、
Ｒ７は、線状若しくは分岐状Ｃ１〜Ｃ１８アルキル、又は線状若しくは分岐状Ｃ２〜Ｃ３０アルケニル、又は５〜９個の炭素原子を有するシクロアルキル基、又はＣ８〜Ｃ３０アリール基、又はＣ６〜Ｃ３０アリールアルキル基である）。
【０１１４】
好適な汚れ放出ポリマーは、Ｒｅｐｅｌ−ｏ−ｔｅｘ（登録商標）ポリマー（Ｒｈｏｄｉａにより供給されているＲｅｐｅｌ−ｏ−ｔｅｘ（登録商標）ＳＦ、ＳＦ−２及びＳＲＰ６を含む）などのポリエステル汚れ放出ポリマーである。他の好適な汚れ放出ポリマーとしては、Ｔｅｘｃａｒｅポリマー（Ｃｌａｒｉａｎｔにより供給されているＴｅｘｃａｒｅ  ＳＲＡ１００、ＳＲＡ３００、ＳＲＮ１００、ＳＲＮ１７０、ＳＲＮ２４０、ＳＲＮ３００及びＳＲＮ３２５を含む）が挙げられる。他の好適な汚れ放出ポリマーは、Ｍａｒｌｏｑｕｅｓｔ（登録商標）ポリマー（Ｓａｓｏｌにより供給されているＭａｒｌｏｑｕｅｓｔ（登録商標）ＳＬなど）である。
【０１１５】
セルロースポリマー−本発明の消費者製品はまた、アルキルセルロース、アルキルアルコキシルセルロース、カルボキシアルキルセルロース、アルキルカルボキシアルキルセルロースから選択されるものを含む、１種以上のセルロースポリマーを含んでもよい。一態様では、セルロースポリマーは、カルボキシメチルセルロース、メチルセルロース、メチルヒドロキシエチルセルロース、メチルカルボキシメチルセルロース及びそれらの混合物を含む群から選択される。一態様では、カルボキシメチルセルロースは、０．５〜０．９のカルボキシメチル置換度及び１００，０００Ｄａ〜３００，０００Ｄａの分子量を有する。
【０１１６】
アミン
本明細書において記載されている清浄組成物において、汚れた材料からグリース及び粒子を除去するために加えられる、さまざまなアミンが使用され得る。本明細書において記載されている洗剤組成物は、清浄組成物の重量基準で、約０．１％〜約１０％、一部の例では、約０．１％〜約４％、及び他の例では、約０．１％〜約２％の追加アミンが含まれ得る。アミンの非限定例としては、以下に限定されないが、ポリアミン、オリゴアミン、トリアミン、ジアミン、ペンタアミン、テトラアミン、ポリエーテルアミン、又はそれらの組合せが挙げられる。好適な追加アミンの具体例としては、テトラエチレンペンタアミン、トリエチレンテトラアミン、ジエチレントリアミン、ポリエーテルアミン、又はそれらの混合物が挙げられる。一態様では、本明細書に記載されている組成物は、汚れた材料からグリース及び粒子を除去するために加えられるポリエーテルアミンを含み得る。一態様では、本明細書に記載されている組成物は、清浄組成物の重量基準で、約０．１％〜約１０％、一部の実施例では、約０．１％〜約６％又は約０．２％〜約５％又は約０．１％〜約２％、及び他の例では、約０．５％〜約３％のポリエーテルアミンが含まれ得る。
【０１１７】
好適なポリエーテルアミンは、式（Ｉ）の構造：
【０１１８】
【化１】
0006342508.tif 000002
（式中、Ｒ１〜Ｒ６はそれぞれ、Ｈ、アルキル、シクロアルキル、アリール、アルキルアリール又はアリールアルキルから独立して選択され、Ｒ１〜Ｒ６の少なくとも１つはＨとは異なり、通常、Ｒ１〜Ｒ６のうちの少なくとも１つは、２〜８個の炭素原子を有するアルキル基であり、Ａ１〜Ａ６はそれぞれ、２〜１８個の炭素原子、一般には、２〜１０個の炭素原子、より一般には２〜５個の炭素原子を有する線状又は分枝状アルキレンから独立して選択され、Ｚ１〜Ｚ２はそれぞれ、ＯＨ又はＮＨ２から独立して選択され、Ｚ１〜Ｚ２の少なくとも１つは、ＮＨ２であり、一般には、Ｚ１及びＺ２はそれぞれ、ＮＨ２であり、ｘ＋ｙの合計は、約２〜約２００、一般には、約２〜約２０又は約３〜約２０、より一般には約２〜約１０又は約３〜約８又は約４〜約６の範囲にあり、ｘ≧１及びｙ≧１であり、ｘ１＋ｙ１の合計は、約２〜約２００、一般には約２〜約２０又は約３〜約２０、より一般には約２〜約１０又は約３〜約８又は約２〜約４の範囲にあり、ｘ１≧１及びｙ１≧１である）
により表される。
【０１１９】
好適な別のポリエーテルアミンは、以下の式（ＩＩ）の構造：
【０１２０】
【化２】
0006342508.tif 000003
（式中、Ｒ７〜Ｒ１２はそれぞれ、Ｈ、アルキル、シクロアルキル、アリール、アルキルアリール又はアリールアルキルから独立して選択され、Ｒ７〜Ｒ１２の少なくとも１つはＨとは異なり、通常、Ｒ７〜Ｒ１２のうちの少なくとも１つは、２〜８個の炭素原子を有するアルキル基であり、Ａ７〜Ａ９はそれぞれ、２〜１８個の炭素原子、一般には、２〜１０個の炭素原子、より一般には２〜５個の炭素原子を有する線状又は分枝状アルキレンから独立して選択され、Ｚ３〜Ｚ４はそれぞれ、ＯＨ又はＮＨ２から独立して選択され、Ｚ３〜Ｚ４の少なくとも１つは、ＮＨ２であり、一般には、Ｚ３及びＺ４はそれぞれ、ＮＨ２であり、ｘ＋ｙの合計は、約２〜約２００、一般には、約２〜約２０又は約３〜約２０、より一般には約２〜約１０又は約３〜約８又は約２〜約４の範囲にあり、ｘ≧１及びｙ≧１であり、ｘ１＋ｙ１の合計は、約２〜約２００、一般には約２〜約２０又は約３〜約２０、より一般には約２〜約１０又は約３〜約８又は約２〜約４の範囲にあり、ｘ１≧１及びｙ１≧１である）
により表される。
【０１２１】
好適な別のポリエーテルアミンは、以下の式（ＩＩＩ）の構造：
【０１２２】
【化３】
0006342508.tif 000004
により表される。
【０１２３】
溶媒−好適な溶媒としては、以下に限定されないが、水、アルコール、パラフィン、グリコール、グリセロール及びそれらの混合物が挙げられる。
【０１２４】
漂白剤−本発明の洗剤組成物は、１種以上の漂白剤を含んでもよい。漂白触媒以外の好適な漂白剤としては、光漂白剤、漂白活性化剤、過酸化水素、過酸化水素源、あらかじめ形成させた過酸、及びそれらの混合物が挙げられる。一般に、漂白剤を用いる場合、本発明の洗剤組成物は、洗剤組成物の重量基準で、約０．１％〜約５０％又は更には約０．１％〜約２５％の漂白剤を含むことができる。好適な漂白剤の例としては、
（１）光漂白剤、たとえば、スルホン化亜鉛フタロシアニン、スルホン化アルミニウムフタロシアニン、キサンテン染料、及びそれらの混合物、
（２）あらかじめ形成させた過酸：適切なあらかじめ形成させた過酸としては、以下に限定されないが、過カルボン酸及び塩、過炭酸及び塩、ペルイミド酸及び塩、ペルオキシ一硫酸及び塩、たとえばＯｘｏｎｅ（登録商標）、及びそれらの混合物からなる群から選択される化合物が挙げられる。好適な過カルボン酸としては、式Ｒ−（Ｃ＝Ｏ）Ｏ−Ｏ−Ｍ（式中、Ｒはアルキル基であり、場合により分岐しており、過酸が疎水性の場合、６〜１４個の炭素原子、又は８〜１２個の炭素原子を有しており、過酸が親水性の場合、６個未満の炭素原子、又は更には４個未満の炭素原子を有しており、Ｍは、対イオン、たとえば、ナトリウム、カリウム又は水素である）を有する疎水性及び親水性過酸が挙げられる。
（３）過酸化水素源、たとえば、過ホウ酸塩（通常、一水和物又は四水和物）、過炭酸塩、過硫酸塩、過リン酸塩、過ケイ酸塩及びそれらの混合物のナトリウム塩などのアルカリ金属塩を含む、無機過水和物の塩。本発明の一態様では、無機過水和物の塩は、過ホウ酸ナトリウム塩、過炭酸ナトリウム塩、及びそれらの混合物からなる群から選択される。無機過水和物の塩は、使用する場合、通常、布地ケア及びホームケア製品全体の０．０５〜４０重量％、又は１〜３０重量％の量で存在し、通常、コーティングされ得る結晶性固体としてこうした布地ケア及びホームケア製品に配合される。好適なコーティング剤としては、アルカリ金属ケイ酸塩、炭酸塩又はホウ酸塩などの無機塩、或いは水溶性若しくは分散性ポリマー、ワックス、油又は脂肪石鹸などの有機物質及び
（４）Ｒ−（Ｃ＝Ｏ）−Ｌを有する漂白活性化剤（式中、Ｒはアルキル基であり、場合により分枝しており、漂白活性化剤が疎水性である場合、６〜１４個の炭素原子又は８〜１２個の炭素原子を有しており、漂白活性化剤が親水性である場合、６個未満の炭素原子又は更には４個未満の炭素原子を有しており、Ｌは脱離基である）が含まれる。好適な脱離基の例は、安息香酸及びその誘導体、とりわけベンゼンスルホネートである。好適な漂白活性化剤としては、ドデカノイルオキシベンゼンスルホネート、デカノイルオキシベンゼンスルホネート、デカノイルオキシ安息香酸又はその塩、３，５，５−トリメチルヘキサノイルオキシベンゼンスルホネート、テトラアセチルエチレンジアミン（ＴＡＥＤ）及びノナノイルオキシベンゼンスルホネート（ＮＯＢＳ）が挙げられる。いかなる好適な漂白活性化剤も使用してもよいが、本発明の一態様では、対象の洗剤組成物は、ＮＯＢＳ、ＴＡＥＤ又はそれらの混合物を含んでもよい。
【０１２５】
過酸及び／又は漂白活性剤は、存在する場合、一般に、布地ケア及びホームケア製品に対して、約０．１〜約６０重量％、約０．５〜約４０重量％、又は更には約０．６〜約１０重量％の量で洗剤組成物中に存在する。１種以上の疎水性過酸又はその前駆体は、１種以上の親水性過酸又はその前駆体と組み合わせて使用することができる。
【０１２６】
過酸化水素源及び過酸又は漂白活性化剤の量は、有効酸素（過酸化物源由来）と過酸とのモル比が１：１〜３５：１、又は更には２：１〜１０：１になるよう選択することができる。
【０１２７】
漂白触媒−本発明の洗剤組成物はまた、ペルオキシ酸及び／又はその塩から酸素原子を受け取り、その酸素原子を酸化可能な基質に移送することができる漂白触媒を１種又は複数、含んでもよい。好適な漂白触媒としては、以下に限定されないが、イミニウムカチオン及びポリイオン、イミニウム双性イオン、修飾アミン、修飾アミンオキシド、Ｎ−スルホニルイミン、Ｎ−ホスホニルイミン、Ｎ−アシルイミン、チアジアゾールジオキシド、ペルフルオロイミン、環式糖ケトン及びそれらの混合物が含まれる。
【０１２８】
別の態様では、洗濯用洗剤組成物は漂白成分を含み、この漂白成分は０以下、−０．５以下、−１．０以下、−１．５以下、−２．０以下、−２．５以下、−３．０以下、又は更には−３．５以下のｌｏｇＰｏ／ｗを有する。ｌｏｇＰｏ／ｗを判定するための方法は、以下でより詳細に説明する。
【０１２９】
通常、漂白成分は、０．０１〜約０．３０、好ましくは０．０５〜約０．２５、又は更には約０．１０〜０．２０のＸＳＯを有する漂白性化学種を発生することが可能である。ＸＳＯを判定するための方法は、以下でより詳細に説明する。たとえば、イソキノリニウム構造を有する漂白成分は、オキサジリジニウム構造を有する漂白性化学種を生成することが可能である。この例では、ＸＳＯは、オキサジリジニウム漂白性化学種のものである。
【０１３０】
一態様では、漂白触媒は、以下の一般式：
【０１３１】
【化４】
0006342508.tif 000005
（式中、Ｒ１３は、２−エチルヘキシル、２−プロピルへプチル、２−ブチルオクチル、２−ペンチルノニル、２−ヘキシルデシル、ｎ−ドデシル、ｎ−テトラデシル、ｎ−ヘキサデシル、ｎ−オクタデシル、イソ−ノニル、イソ−デシル、イソ−トリデシル及びイソ−ペンタデシルからなる群から選択される）
に対応する構造を有する。
ｌｏｇＰｏ／ｗは、Ｂｒｏｏｋｅ，Ｄ．Ｎ．、Ｄｏｂｂｓ，Ａ．Ｊ．、Ｗｉｌｌｉａｍｓ，Ｎ、Ｅｃｏｔｏｘｉｃｏｌｏｇｙ  ａｎｄ  Ｅｎｖｉｒｏｎｍｅｎｔａｌ  Ｓａｆｅｔｙ（１９８６年）１１巻（３号）：２５１〜２６０頁に見出される方法にしたがって判定する。パラメーターＸｓｏは、Ａｄａｍ，Ｗ．、Ｈａａｓ，Ｗ．、Ｌｏｈｒａｙ，Ｂ．Ｂ．Ｊｏｕｒｎａｌ  ｏｆ  ｔｈｅ  Ａｍｅｒｉｃａｎ  Ｃｈｅｍｉｃａｌ  Ｓｏｃｉｅｔｙ（１９９１年）１１３巻（１６号）６２０２〜６２０８頁に記載されている方法にしたがって判定する。
【０１３２】
増白剤
光学増白剤若しくはその他の増白剤、又は白化剤は、組成物の重量基準で、約０．０１％〜約１．２％のレベルで本明細書に記載されている清浄組成物に配合することができる。本発明に好適な市販の蛍光増白剤は、以下に限定されないが、スチルベン、ピラゾリン、クマリン、ベンゾオキサゾール、カルボン酸、メチンシアニン、ジベンゾチオフェン−５，５−ジオキシド、アゾール、５及び６員環の複素環、並びにその他のさまざまな作用剤の誘導体を含めたサブグループに分類することができる。
【０１３３】
一部の例では、本明細書の蛍光増白剤は、式（１）の化合物
【０１３４】
【化５】
0006342508.tif 000006
（式中、Ｘ１、Ｘ２、Ｘ３及びＸ４は−Ｎ（Ｒ１）Ｒ２であり、式中、Ｒ１及びＲ２は水素、フェニル、ヒドロキシエチル、又は非置換若しくは置換Ｃ１〜Ｃ８アルキルから独立して選択されるか、又は−Ｎ（Ｒ１）Ｒ２は複素環を形成し、好ましくはＲ１及びＲ２は水素又はフェニルから独立して選択されるか、又は−Ｎ（Ｒ１）Ｒ２は非置換又は置換モルホリン環を形成し、Ｍは水素又はカチオンであり、好ましくはＭはナトリウム又はカリウムであり、より好ましくはＭはナトリウムである）
を含む。
【０１３５】
一部の例では、蛍光増白剤は、４，４’−ビス｛［４−アニリノ−６−モルホリノ−ｓ−トリアジン−２−イル］−アミノ｝−２，２’−スチルベン二スルホン酸二ナトリウム（増白剤１５、Ｃｉｂａ  Ｇｅｉｇｙ  ＣｏｒｐｏｒａｔｉｏｎによりＴｉｎｏｐａｌ（登録商標）ＡＭＳ−ＧＸという商標名で市販）、４，４’−ビス｛［４−アニリノ−６−（Ｎ−２−ビス−ヒドロキシエチル）−ｓ−トリアジン−２−イル］−アミノ｝−２，２’−スチルベン二スルホン酸二ナトリウム（Ｃｉｂａ−Ｇｅｉｇｙ  Ｃｏｒｐｏｒａｔｉｏｎにより、Ｔｉｎｏｐａｌ（登録商標）ＵＮＰＡ−ＧＸという商標名で市販）、４，４’−ビス｛［４−アニリノ−６−（Ｎ−２−ヒドロキシエチル−Ｎ−メチルアミノ）−ｓ−トリアジン−２−イル］−アミノ｝−２，２’−スチルベン二スルホン酸二ナトリウム（Ｃｉｂａ−Ｇｅｉｇｙ  Ｃｏｒｐｏｒａｔｉｏｎにより、Ｔｉｎｏｐａｌ（登録商標）５ＢＭ−ＧＸという商標名で市販）からなる群から選択される。より好ましくは、蛍光増白剤は、４，４’−ビス｛［４−アニリノ−６−モルホリノ−ｓ−トリアジン−２−イル］−アミノ｝−２，２’−スチルベン二スルホン酸二ナトリウムである。
【０１３６】
増白剤は、粒子形態で、又は好適な溶媒、たとえば非イオン性界面活性剤、モノエタノールアミン、プロパンジオールとのプレミックスとして添加されてもよい。
【０１３７】
抑泡剤
本明細書に記載されている清浄組成物は、該組成物の重量基準で、０．１％〜約１０％の追加の抑泡剤を含んでもよい。抑泡剤として利用する場合、脂肪族モノカルボン酸及びその塩は、清浄組成物の最大約５重量％、及び一部の例では、清浄組成物の約０．５重量％〜約３重量％の量で存在することができる。追加のシリコーン抑泡剤は、清浄組成物の最大２．０重量％の量で利用することができるが、より多い量を使用してもよい。モノステアリルホスフェート抑泡剤は、清浄組成物の約０．１重量％〜約２重量％の範囲の量で利用することができる。炭化水素抑泡剤は、清浄組成物の約０．０１重量％〜約５．０重量の範囲の量で利用することができるが、より多い量を使用してもよい。アルコール抑泡剤は、清浄組成物の約０．２重量％〜約３重量％の範囲の濃度で使用することができる。
【０１３８】
水溶性フィルム
本発明の組成物はまた、水溶性フィルム内にカプセル封入されてもよい。好ましいフィルム材料は、好ましくはポリマー材料である。フィルム材料は、たとえば、当分野において公知の、ポリマー材料のキャスティング、吹込み成形、押出成形又は吹込押出成形により得ることができる。
【０１３９】
パウチ材料としての使用に好適な好ましいポリマー、コポリマー又はそれらの誘導体は、ポリビニルアルコール、ポリビニルピロリドン、ポリアルキレンオキシド、アクリルアミド、アクリル酸、セルロース、セルロースエーテル、セルロースエステル、セルロースアミド、ポリ酢酸ビニル、ポリカルボン酸及び塩、ポリアミノ酸又はペプチド、ポリアミド、ポリアクリルアミド、マレイン酸／アクリル酸のコポリマー、デンプン及びゼラチンを包むポリサッカライド、キサンタン及びカラガムなどの天然ガムから選択される。より好ましいポリマーは、ポリアクリレート及び水溶性アクリレートコポリマー、メチルセルロース、カルボキシメチルセルロースナトリウム、デキストリン、エチルセルロース、ヒドロキシエチルセルロース、ヒドロキシプロピルメチルセルロース、マルトデキストリン、ポリメタクリレートから選択され、最も好ましくは、ポリビニルアルコール、ポリビニルアルコールコポリマー及びヒドロキシプロピルメチルセルロース（ＨＰＭＣ）、並びにこれらの組合せから選択される。好ましくは、パウチ材料中のポリマー、たとえばＰＶＡポリマーのレベルは、少なくとも６０％である。ポリマーは、任意の重量平均分子量、好ましくは、約１０００〜１，０００，０００、より好ましくは、約１０，０００〜３００，０００、更により好ましくは、約２０，０００〜１５０，０００を有することができる。ポリマー混合物もまた、パウチ材料として使用することができる。
【０１４０】
当然のことながら、さまざまなフィルム材料及び／又は異なる厚さのフィルムを、また、本発明の区画を作製するのに使用することができる。さまざまなフィルムを選択する利点は、その結果得られる区画が異なる溶解度、すなわち放出特性を示し得ることである。
【０１４１】
最も好ましいフィルム材料は、ＭｏｎｏＳｏｌの参照品であるＭ８６３０、Ｍ８９００、Ｈ８７７９で公知の、ＰＶＡフィルムである。
【０１４２】
本明細書のフィルム材料は、１種または複数の添加剤成分を含むことができる。たとえば、可塑剤、たとえば、グリセロール、エチレングリコール、ジエチレングリコール、プロピレングリコール、ソルビトール、及びそれらの混合物を添加するのが有益となり得る。他の添加剤としては、洗浄水に送達される機能性洗剤添加剤、たとえば有機ポリマー分散剤が挙げられる。
【０１４３】
増泡剤
高起泡性が望ましい場合、本清浄組成物に、Ｃ１０〜Ｃ１６アルカノールアミドなどの増泡剤を、該清浄組成物の約１重量％〜約１０重量％の範囲の濃度で配合することができる。一部の例としては、Ｃ１０〜Ｃ１４モノエタノール及びジエタノールアミドが挙げられる。所望の場合、更なる泡をもたらして、グリース除去性能を高めるために、ＭｇＣｌ２、ＭｇＳＯ４、ＣａＣｌ２、ＣａＳＯ４などの水溶性マグネシウム及び／又はカルシウム塩を、清浄組成物の約０．１重量％〜約２重量％のレベルで加えてもよい。
【０１４４】
コンディショニング剤
本発明の組成物は、高融点脂肪化合物を含み得る。本明細書において有用な高融点脂肪化合物は、２５℃以上の融点を有し、脂肪族アルコール、脂肪酸、脂肪アルコール誘導体、脂肪酸誘導体及びそれらの混合物からなる群から選択される。
【０１４５】
高融点脂肪化合物は、濡れた毛髪に施用している間のすべすべ感、乾いた毛髪での柔らかさ及びしっとり感などの、改善されたコンディショニング上の利益をもたらす観点から、組成物中に、該組成物の約０．１重量％〜約４０重量％、好ましくは約１重量％〜約３０重量％、より好ましくは約１．５重量％〜約１６重量％、約１．５重量％〜約８重量％のレベルで含まれる。
【０１４６】
本発明の組成物は、カチオン性ポリマーを含有してもよい。組成物中のカチオン性ポリマーの濃度は、通常、約０．０５％〜約３％、別の実施形態では、約０．０７５％〜約２．０％、更に別の実施形態では、約０．１％〜約１．０％の範囲に及ぶ。好適なカチオン性ポリマーは、組成物の意図される使用のｐＨが、一般に、約ｐＨ３〜約ｐＨ９、一実施形態では約ｐＨ４〜約ｐＨ８の間の範囲において、少なくとも約０．５ｍｅｑ／ｇｍ、別の実施形態では少なくとも約０．９ｍｅｑ／ｇｍ、別の実施形態では少なくとも約１．２ｍｅｑ／ｇｍ、更に別の実施形態では少なくとも約１．５ｍｅｑ／ｇｍであるが、一実施形態ではやはり約７ｍｅｑ／ｇｍ未満、及び別の実施形態では約５ｍｅｑ／ｇｍ未満の正電荷密度を有することになろう。本明細書において、ポリマーの「正電荷密度」とは、ポリマー上の正電荷数とポリマーの分子量との比を指す。こうした好適なカチオン性ポリマーの平均分子量は一般に、約１０，０００〜１０，０００，０００の間であり、一実施形態では、約５０，０００〜約５，０００，０００の間であり、別の実施形態では、約１００，０００〜約３，０００，０００の間である。
【０１４７】
本発明の組成物に用いるのに好適なカチオン性ポリマーは、四級アンモニウムなどのカチオン性窒素含有部分、又はプロトン化されたカチオン性アミノ部分を含有する。ポリマーが、水中、組成物中、又は組成物のコアセルベート相中に溶解した状態を保ち、かつ対イオンが該組成物の必須構成成分と物理的及び化学的に適合することができるか、又はそうでなければ、製品の性能、安定性又は審美性を過度に損なわないかぎり、任意のアニオン性対イオンを、カチオン性ポリマーと併せて使用することができる。このような対イオンの非限定例としては、ハロゲン化物（たとえば、塩化物、フッ化物、臭化物、ヨウ化物）、サルフェート及びメチルサルフェートが挙げられる。
【０１４８】
本組成物に使用するのに好適な他のカチオン性ポリマーには、ポリサッカライドポリマー、カチオン性グアーガム誘導体、四級窒素含有セルロースエーテル、合成ポリマー、エーテル化セルロースのコポリマー、グアー及びデンプンが含まれる。本発明におけるカチオン性ポリマーは、使用される場合、本組成物に可溶性であるか、又は上述のカチオン性ポリマー、並びにアニオン性、両性及び／又は双性イオン性界面活性剤成分によって形成される本組成物中の複合コアセルベート相に可溶性であるかのいずれかである。カチオン性ポリマーの複合コアセルベートはまた、本組成物中の他の荷電物質により形成することもできる。
【０１４９】
本発明の組成物は、非イオン性ポリマーをコンディショニング剤として含んでもよい。約１０００を超える分子量を有するポリアルキレングリコールが、本明細書において有用である。以下の一般式を有するものが有用である：
【０１５０】
【化６】
0006342508.tif 000007
（式中、Ｒ９５は、Ｈ、メチル、及びそれらの混合物からなる群から選択される）コンディショニング剤、及び特にシリコーンが本組成物に含まれ得る。本発明の組成物に有用なコンディショニング剤は、通常、乳化液体粒子を形成する非水溶性で水分散性の不揮発性液体を含む。本組成物に使用するのに好適なコンディショニング剤は、一般にシリコーン（たとえば、シリコーンオイル、カチオン性シリコーン、シリコーンガム、屈折率の高いシリコーン、及びシリコーン樹脂）、有機コンディショニングオイル（たとえば、炭化水素油、ポリオレフィン、及び脂肪酸エステル）、若しくはこれらの組合せとして特徴付けられるコンディショニング剤、又は別の方法で本明細書の水性界面活性剤マトリックス中に液状の分散粒子を形成するコンディショニング剤である。こうしたコンディショニング剤は、物理的及び化学的に本組成物の必須構成成分と適合すべきであり、そうでなければ製品の安定性、審美性又は性能を過度に損なうべきではない。
【０１５１】
本組成物中のコンディショニング剤の濃度は、所望のコンディショニング上の利点をもたらすのに十分となるべきである。こうした濃度は、コンディショニング剤、所望のコンディショニング性能、コンディショニング剤粒子の平均サイズ、他の構成成分のタイプ及び濃度、並びに他の同様の要因によりさまざまとなり得る。
【０１５２】
布地色調剤
本組成物は、布地色調剤（時として、色合い剤、青味剤又は白化剤と呼ばれる）を含み得る。通常、色調剤は布地に青又は紫の色合いをもたらす。色調剤は、単独又は組み合わせで使用して、特定の色合いを作り出すことができ、かつ／又は異なる種類の布地に色合いをつけることができる。これは、たとえば、赤と緑−青の染料とを混合して青又は紫の色合いを生じさせることにより提供され得る。色調剤は、以下に限定されないが、アクリジン、アントラキノン（多環式キノンを含む）、アジン、事前金属化されたアゾを含むアゾ（たとえば、モノアゾ、ジアゾ、トリスアゾ、テトラキスアゾ、ポリアゾ）、ベンゾジフラン及びベンゾジフラノン、カロテノイド、クマリン、シアニン、ジアザヘミシアニン、ジフェニルメタン、ホルマザン、ヘミシアニン、インジゴイド、メタン、ナフタルイミド、ナフトキノン、ニトロ及びニトロソ、オキサジン、フタロシアニン、ピラゾール、スチルベン、スチリル、トリアリールメタン、トリフェニルメタン、キサンテン、並びにそれらの混合物を含む、任意の公知の化学分類の染料から選択することができる。
【０１５３】
好適な布地色調剤としては、染料、染料−粘土複合体、並びに有機及び無機顔料が挙げられる。好適な染料としては、低分子染料及びポリマー染料が挙げられる。好適な低分子染料としては、たとえば、青、バイオレット、赤、緑又は黒として分類され、かつ単独で又は組み合わせで所望の色合いをもたらす、直接染料、塩基性染料、反応染料若しくは加水分解済み反応性染料、溶媒染料又は分散染料の色指数（Ｃ．Ｉ．）分類に該当する染料からなる群から選択される低分子染料が挙げられる。別の態様では、好適な低分子染料としては、色指数（Ｓｏｃｉｅｔｙ  ｏｆ  Ｄｙｅｒｓ  ａｎｄ  Ｃｏｌｏｕｒｉｓｔｓ、Ｂｒａｄｆｏｒｄ、英国））番号：ダイレクトバイオレット染料（９、３５、４８、５１、６６及び９９など）、ダイレクトブルー染料（１、７１、８０及び２７９など）、アシッドレッド染料（１７、７３、５２、８８、及び１５０など）、アシッドバイオレット染料（１５、１７、２４、４３、４９及び５０など）、アシッドブルー染料（１５、１７、２５、２９、４０、４５、７５、８０、８３、９０及び１１３など）、アシッドブラック染料（１など）、ベーシックバイオレット染料１、３、４、１０、及び３５など、ベーシックブルー染料（３、１６、２２、４７、６６、７５及び１５９など）、分散又は溶媒染料、及びそれらの混合物からなる群から選択される低分子染料が挙げられる。別の態様では、好適な低分子染料としては、Ｃ．Ｉ．番号が、アシッドバイオレット１７、ダイレクトブルー７１、ダイレクトバイオレット５１、ダイレクトブルー１、アシッドレッド８８、アシッドレッド１５０、アシッドブルー２９、アシッドブルー１１３又はそれらの混合物からなる群から選択される低分子染料が挙げられる。
【０１５４】
好適なポリマー染料としては、共有結合した（時として、複合体と呼ばれる）色原体を含有するポリマー（染料−ポリマー複合体）、たとえばポリマーの骨格に共重合させた色原体を有するポリマー又はその混合物からなる群から選択されるポリマー染料が挙げられる。
【０１５５】
別の態様では、好適なポリマー染料としては、Ｌｉｑｕｉｔｉｎｔ（登録商標）（Ｍｉｌｌｉｋｅｎ（Ｓｐａｒｔａｎｂｕｒｇ、Ｓｏｕｔｈ  Ｃａｒｏｌｉｎａ、米国））の名称で販売されている布地直接着色剤、少なくとも１つの反応染料と、ヒドロキシル部分、一級アミン部分、二級アミン部分、チオール部分及びそれらの混合物からなる群から選択される部分を含むポリマーからなる群から選択されるポリマーとから形成される染料−ポリマー複合体からなる群から選択されるポリマー染料が挙げられる。更に別の態様では、好適なポリマー染料としては、Ｌｉｑｕｉｔｉｎｔ（登録商標）バイオレットＣＴ、Ｃ．Ｉ．リアクティブブルー１９とコンジュゲートしているＣＭＣなどのリアクティブブルー、リアクティブバイオレット又はリアクティブレッドの染料に共有結合しているカルボキシメチルセルロース（ＣＭＣ）（Ｍｅｇａｚｙｍｅ（Ｗｉｃｋｌｏｗ、アイルランド）により製品名ＡＺＯ−ＣＭ−ＣＥＬＬＵＬＯＳＥ、製品コードＳ−ＡＣＭＣで販売されている）、アルコキシル化トリフェニール−メタンポリマー着色剤、アルコキシル化チオフェンポリマー着色料、及びそれらの混合物からなる群から選択されるポリマー染料が挙げられる。
【０１５６】
好適な染料粘土複合体としては、少なくとも１つのカチオン性／塩基性染料及びスメクタイト粘土、及びそれらの混合物を含む群から選択される染料粘土複合体が挙げられる。別の態様では、好適な染料粘土複合体としては、Ｃ．Ｉ．ベーシックイエロー１〜１０８、Ｃ．Ｉ．ベーシックオレンジ１〜６９、Ｃ．Ｉ．ベーシックレッド１〜１１８、Ｃ．Ｉ．ベーシックバイオレット１〜５１、Ｃ．Ｉ．ベーシックブルー１〜１６４、Ｃ．Ｉ．ベーシックグリーン１〜１４、Ｃ．Ｉ．ベーシックブラウン１〜２３、ＣＩベーシックブラック１〜１１からなる群から選択される１つのカチオン性／塩基性染料と、モンモリロナイト粘土、ヘクトライト粘土、サポナイト粘土、及びこれらの組合せからなる群から選択される粘土とからなる群から選択される、染料粘土複合体が挙げられる。更に別の態様では、好適な染料粘土複合体としては、モンモリロナイトベーシックブルーＢ７  Ｃ．Ｉ．４２５９５複合体、モンモリロナイトベーシックブルーＢ９  Ｃ．Ｉ．５２０１５複合体、モンモリロナイトベーシックバイオレットＶ３  Ｃ．Ｉ．４２５５５複合体、モンモリロナイトベーシックグリーンＧ１  Ｃ．Ｉ．４２０４０複合体、モンモリロナイトベーシックレッドＲ１  Ｃ．Ｉ．４５１６０複合体、モンモリロナイトＣ．Ｉ．ベーシックブラック２複合体、ヘクトライトベーシックブルーＢ７  Ｃ．Ｉ．４２５９５複合体、ヘクトライトベーシックブルーＢ９  Ｃ．Ｉ．５２０１５複合体、ヘクトライトベーシックバイオレットＶ３  Ｃ．Ｉ．４２５５５複合体、ヘクトライトベーシックグリーンＧ１  Ｃ．Ｉ．４２０４０複合体、ヘクトライトベーシックレッドＲ１  Ｃ．Ｉ．４５１６０複合体、ヘクトライトＣ．Ｉ．ベーシックブラック２複合体、サポナイトベーシックブルーＢ７  Ｃ．Ｉ．４２５９５複合体、サポナイトベーシックブルーＢ９  Ｃ．Ｉ．５２０１５複合体、サポナイトベーシックバイオレットＶ３  Ｃ．Ｉ．４２５５５複合体、サポナイトベーシックグリーンＧ１  Ｃ．Ｉ．４２０４０複合体、サポナイトベーシックレッドＲ１  Ｃ．Ｉ．４５１６０複合体、サポナイトＣ．Ｉ．ベーシックブラック２複合体、及びそれらの混合物からなる群から選択される染料粘土複合体が挙げられる。
【０１５７】
好適な顔料としては、フラバントロン、インダントロン、１〜４個の塩素原子を含有する塩素化インダントロン、ピラントロン、ジクロロピラントロン、モノブロモジクロロピラントロン、ジブロモジクロロピラントロン、テトラブロモピラントロン、ペリレン−３，４，９，１０−テトラカルボン酸ジイミド（そのイミド基は、非置換であってもよく、Ｃ１〜Ｃ３−アルキル基又はフェニルラジカル又は複素環式ラジカルによって置換されていてもよく、このフェニル基及び複素環式ラジカルは、水溶性を付与しない置換基を更に有してもよい）、アントラピリミジンカルボン酸アミド、ビオラントロン、イソビオラントロン、ジオキサジン顔料、１分子あたり最大２個の塩素原子を含有してもよい銅フタロシアニン、１分子あたり最大１４個の臭素原子を含有するポリクロロ−銅フタロシアニン又はポリブロモクロロ−銅フタロシアニン、並びにそれらの混合物からなる群から選択される顔料が挙げられる。
【０１５８】
別の態様では、好適な顔料としては、ウルトラマリンブルー（Ｃ．Ｉ．ピグメントブルー２９）、ウルトラマリンバイオレット（Ｃ．Ｉ．ピグメントバイオレット１５）、及びそれらの混合物からなる群から選択される顔料が挙げられる。
【０１５９】
上述の布地色調剤は、組み合わせて用いることができる（布地色調剤のいずれの混合物も使用すること我できる）。
【０１６０】
封入体
本組成物は、封入体を含んでもよい。一部の態様では、封入体は、コア、内表面及び外表面を有するシェルを含み、該シェルはコアをカプセル封入する。
【０１６１】
ある種の態様では、このカプセル体は、コア及びシェルを含み、該コアは、香料、増白剤、染料、防虫剤、シリコーン、ワックス、フレーバー、ビタミン、布地柔軟化剤、スキンケア剤、たとえばパラフィン、酵素、抗菌剤、漂白剤、感覚剤（sensate）、又はそれらの混合物から選択される物質を含み、該シェルは、ポリエチレン、ポリアミド、場合により、別のｃｏ−モノマーを含有するポリビニルアルコール、ポリスチレン、ポリイソプレン、ポリカーボネート、ポリエステル、ポリアクリレート、ポリオレフィン、ポリサッカライド、たとえばアルギネート及び／又はキトサン、ゼラチン、セラック、エポキシ樹脂、ビニルポリマー、水不溶性無機物、シリコーン、アミノプラスト又はそれらの混合物から選択される物質を含む。シェルがアミノプラストを含む一部の態様では、アミノプラストは、ポリウレア、ポリウレタン及び／又はポリウレアウレタンを含む。ポリウレアは、ポリオキシメチレンウレア及び／又はメラミンホルムアルデヒドを含んでもよい。
【０１６２】
一部の態様では、封入体はコアを含み、このコアは香料を含む。ある種の態様では、封入体はシェルを含み、このシェルはメラミンホルムアルデヒド及び／又は架橋メラミンホルムアルデヒドを含む。一部の態様では、封入体は、香料を含むコア、並びにメラミンホルムアルデヒド及び／又は架橋メラミンホルムアルデヒドを含むシェルを含む。
【０１６３】
好適な封入体は、コア材料及びシェルを含み、このシェルは、コア材料を少なくとも部分的に取り囲んでいる。少なくとも７５％、又は少なくとも８５％、又は更には少なくとも９０％の封入体は、約０．２ＭＰａ〜約１０ＭＰａ、約０．４ＭＰａ〜約５ＭＰａ、約０．６ＭＰａ〜約３．５ＭＰａ、又は更には約０．７ＭＰａ〜約３ＭＰａの破壊強度、及び０％〜約３０％、０％〜約２０％、又は更には０％〜約５％の有益剤の漏れを有し得る。
【０１６４】
一部の態様では、前記封入体の少なくとも７５％、８５％、又は更には９０％は、約１ミクロン〜約８０ミクロン、約５ミクロン〜６０ミクロン、約１０ミクロン〜約５０ミクロン、又は更には約１５ミクロン〜約４０ミクロンの粒子サイズを有することができる。
【０１６５】
一部の態様では、前記封入体の少なくとも７５％、８５％、又は更には９０％は、約３０ｎｍ〜約２５０ｎｍ、約８０ｎｍ〜約１８０ｎｍ、又は更には約１００ｎｍ〜約１６０ｎｍの粒子壁の厚みを有することができる。
【０１６６】
一部の態様では、封入体のコアは、香料粗原料から選択される物質、及び／又は場合により、ヒマシ油、ココナッツ油、綿実油、グレープ油、ナタネ油、ダイズ油、トウモロコシ油、ヤシ油、アマニ油、ベニバナ油、オリーブ油、ピーナッツ油、ココナッツ油、パーム核油、ヒマシ油、レモン油及びそれらの混合物を含めた、何も含まない（neat）及び／又はブレンド植物油を含む植物油から選択される物質；植物油のエステル、アジピン酸ジブチル、フタル酸ジブチル、アジピン酸ブチルベンジル、アジピン酸ベンジルオクチル、リン酸トリクレシル、リン酸トリオクチルを含むエステル、及びそれらの混合物；約８０℃を超える沸点を有する直鎖状又は分枝鎖状炭化水素を含む、直鎖状又は分枝鎖状炭化水素；部分的に水素化されているテルフェニル、フタル酸ジアルキル、モノイソプロピルビフェニルを含むアルキルビフェニル、ジプロピルナフタレンを含むアルキル化ナフタレン、灯油、鉱油又はそれらの混合物を含む石油精；ベンゼン、トルエン又はそれらの混合物を含む芳香族溶媒；シリコーン油；又は、それらの混合物を含む。
【０１６７】
一部の態様では、封入体の壁は、アルデヒドとアミンとの反応生成物などの好適な樹脂を含む。好適なアルデヒドとしてはホルムアルデヒドが挙げられる。好適なアミンとしては、メラミン、ウレア、ベンゾグアナミン、グリコールウリル、又はそれらの混合物が挙げられる。好適なメラミンとしては、メチロールメラミン、メチル化メチロールメラミン、イミノメラミン及びそれらの混合物が挙げられる。好適な尿素としては、ジメチロール尿素、メチル化ジメチロール尿素、尿素−レゾルシノール、及びそれらの混合物が挙げられる。
【０１６８】
一部の態様では、好適なホルムアルデヒド捕捉剤は、たとえば封入体スラリー中で、封入体とともに使用されてもよく、かつ／又は、該封入体を組成物に加える前、その最中、若しくはその後に、こうした組成物に加えられてもよい。
【０１６９】
更に、上述の封入体を作製するための材料は、Ｓｏｌｕｔｉａ  Ｉｎｃ．（Ｓｔ  Ｌｏｕｉｓ、Ｍｉｓｓｏｕｒｉ、米国）、Ｃｙｔｅｃ  Ｉｎｄｕｓｔｒｉｅｓ（Ｗｅｓｔ  Ｐａｔｅｒｓｏｎ、Ｎｅｗ  Ｊｅｒｓｅｙ、米国）、ｓｉｇｍａ−Ａｌｄｒｉｃｈ（Ｓｔ．Ｌｏｕｉｓ、Ｍｉｓｓｏｕｒｉ、米国）、ＣＰ  Ｋｅｌｃｏ  Ｃｏｒｐ．（Ｓａｎ  Ｄｉｅｇｏ、Ｃａｌｉｆｏｒｎｉａ、米国）、ＢＡＳＦ  ＡＧ（Ｌｕｄｗｉｇｓｈａｆｅｎ、ドイツ）、Ｒｈｏｄｉａ  Ｃｏｒｐ．（Ｃｒａｎｂｕｒｙ、Ｎｅｗ  Ｊｅｒｓｅｙ、米国）、Ｈｅｒｃｕｌｅｓ  Ｃｏｒｐ．（Ｗｉｌｍｉｎｇｔｏｎ、Ｄｅｌａｗａｒｅ、米国）、Ａｇｒｉｕｍ  Ｉｎｃ．（Ｃａｌｇａｒｙ、Ａｌｂｅｒｔａ、カナダ）、ＩＳＰ（Ｎｅｗ  Ｊｅｒｓｅｙ、米国）、Ａｋｚｏ  Ｎｏｂｅｌ（Ｃｈｉｃａｇｏ、ＩＬ、米国）、Ｓｔｒｏｅｖｅｒ  Ｓｈｅｌｌａｃ  Ｂｒｅｍｅｎ（Ｂｒｅｍｅｎ、ドイツ）、Ｄｏｗ  Ｃｈｅｍｉｃａｌ  Ｃｏｍｐａｎｙ（Ｍｉｄｌａｎｄ、ＭＩ、米国）、Ｂａｙｅｒ  ＡＧ（Ｌｅｖｅｒｋｕｓｅｎ、ドイツ）、Ｓｉｇｍａ−Ａｌｄｒｉｃｈ  Ｃｏｒｐ．（Ｓｔ．Ｌｏｕｉｓ、Ｍｉｓｓｏｕｒｉ、米国）から得ることができる。
【０１７０】
香料
香料及び香料成分は、本明細書において記載されている清浄組成物で使用されてもよい。香料及び香料成分の非限定的な例としては、以下に限定されないが、アルデヒド、ケトン、エステルなどが挙げられる。他の例としては、さまざまな天然抽出物及び天然エキスが挙げられ、これらは、オレンジ油、レモン油、バラ抽出物、ラベンダー、ムスク、パチョリ、バルサミコエキス、ビャクダン油、パイン油、シーダーなどの成分の複雑な混合物を含むことができる。完成香料は、こうした成分の非常に複雑な混合物を含むことができる。完成香料は、清浄組成物の約０．０１重量％〜約２重量％の範囲の濃度で含まれ得る。
【０１７１】
移染防止剤
布地清浄組成物はまた、清浄工程中に、ある布地から別の布地に染料が移るのを阻止するのに有効な１種以上の物質を含んでもよい。一般に、このような移染防止剤は、ポリビニルピロリドンポリマー、ポリアミンＮ−オキシドポリマー、Ｎ−ビニルピロリドンとＮ−ビニルイミダゾールとのコポリマー、マンガンフタロシアニン、ペルオキシダーゼ、及びそれらの混合物を含み得る。これらの作用剤は、使用される場合、組成物の約０．０００１％〜約１０重量％、一部の例では、組成物の約０．０１％〜約５重量％、及び他の例では、組成物の約０．０５％〜約２重量％の濃度で使用することができる。
【０１７２】
キレート化剤
本明細書に記載されている洗剤組成物はまた、１種以上の金属イオンのキレート剤を含有してもよい。好適な分子としては、銅、鉄、及び／又はマンガンキレート剤、並びにそれらの混合物が挙げられる。こうしたキレート剤は、ホスホネート、アミノカルボキシレート、アミノホスホネート、スクシネート、多官能置換された芳香族キレート剤、２−ピリジノール−Ｎ−オキシド化合物、ヒドロキサム酸、カルボキシメチルイヌリン及びそれらの混合物からなる群から選択することができる。キレート剤は、アルカリ金属、アンモニウム、及びその置換アンモニウム塩、及びそれらの混合物を含む、酸又は塩の形で存在することができる。
【０１７３】
キレート剤として有用なアミノカルボキシレートとしては、以下に限定されないが、エチレンジアミンテトラアセテート（ＥＤＴＡ）；Ｎ−（ヒドロキシエチル）エチレンジアミントリアセテート（ＨＥＤＴＡ）；ニトリロトリアセテート（ＮＴＡ）；エチレンジアミンテトラプロピオネート；トリエチレンテトラアミンヘキサアセテート、ジエチレントリアミン−ペンタアセテート（ＤＴＰＡ）；メチルグリシン二酢酸（ＭＧＤＡ）；グルタミン酸二酢酸（ＧＬＤＡ）；エタノールジグリシン；トリエチレンテトラミン六酢酸（ＴＴＨＡ）；Ｎ−ヒドロキシエチルイミノ二酢酸（ＨＥＩＤＡ）；ジヒドロキシエチルグリシン（ＤＨＥＧ）；エチレンジアミンテトラプロピオン酸（ＥＤＴＰ）、及びそれらの誘導体が挙げられる。
【０１７４】
リン含有キレート化剤としては、以下に限定されないが、ジエチレントリアミンペンタ（メチレンホスホン酸）（ＤＴＰＭＰ  ＣＡＳ  １５８２７−６０−８）；エチレンジアミンテトラ（メチレンホスホン酸）（ＥＤＴＭＰ  ＣＡＳ  １４２９−５０−１）；２−ホスホノブタン１，２，４−トリカルボン酸（Ｂａｙｈｉｂｉｔ（登録商標）ＡＭ）；ヘキサメチレンジアミンテトラ（メチレンホスホン酸）（ＣＡＳ  ５６７４４−４７−９）；ヒドロキシ−エタンジホスホン酸（ＨＥＤＰ  ＣＡＳ  ２８０９−２１−４）；ヒドロキシエタンジメチレンホスホン酸；２−ホスホノ−１，２，４−ブタントリカルボン酸（ＣＡＳ  ３７９７１−３６−１）；２−ヒドロキシ−２−ホスホノ−酢酸（ＣＡＳ  ２３７８３−２６−８）；アミノトリ（メチレンホスホン酸）（ＡＴＭＰ  ＣＡＳ  ６４１９−１９−８）；Ｐ，Ｐ’−（１，２−エタンジイル）ビス−ホスホン酸（ＣＡＳ  ６１４５−３１−９）；Ｐ，Ｐ’−メチレンビス−ホスホン酸（ＣＡＳ  １９８４−１５−２）；トリエチレンジアミンテトラ（メチレンホスホン酸）（ＣＡＳ  ２８４４４−５２−２）；Ｐ−（１−ヒドロキシ−１−メチルエチル）−ホスホン酸（ＣＡＳ  ４１６７−１０−６）；ビス（ヘキサメチレントリアミンペンタ（メチレンホスホン酸））（ＣＡＳ  ３４６９０−００−１）；Ｎ２，Ｎ２，Ｎ６，Ｎ６−テトラキス（ホスホノメチル）−リシン（ＣＡＳ  １９４９３３−５６−７、ＣＡＳ  １７２７８０−０３−９）、それらの塩、及びそれらの混合物が挙げられる。好ましくは、これらのアミノホスホネートは、約６個を超える炭素原子を有するアルキル又はアルケニル基を含有しない。
【０１７５】
本明細書でやはり使用することができる生分解性キレート化剤は、エチレンジアミンジスクシネート（「ＥＤＤＳ」）である。一部の例では、［Ｓ，Ｓ］異性体であるが、当然ながらこの特定の例に限定されない。他の例では、ＥＤＤＡの三ナトリウム塩を使用できるが、マグネシウム塩などの他の形態も有用となり得る。ＢＡＳＦからのＴｒｉｌｏｎＰ（登録商標）などのポリマーキレート化剤も有用となり得る。
【０１７６】
多官能性置換芳香族キレート剤も、清浄組成物において使用することができる。酸形態のこのタイプの化合物は、Ｔｒｉｏｎとしても知られている１，２−ジヒドロキシ−３，５−ジスルホベンゼンなどのジヒドロキシジスルホベンゼンである。他のスルホン酸化カテコールも使用されてもよい。二スルホン酸に加えて、用語「ｔｒｉｏｎ」はまた、たとえば、スルホン酸二ナトリウム塩などの、一又は二スルホン酸塩を含むことができ、これらの塩は、同じコア分子構造を二スルホン酸と共有する。
【０１７７】
本発明による洗剤組成物は、キレート剤として置換又は非置換の２−ピリジノール−Ｎ−オキシド化合物、又はその塩を含有することができる。この化合物の互変異性体、たとえば１−ヒドロキシ−２（１Ｈ）−ピリジノンは、キレート剤として本発明の範囲内に含まれる。ある種の態様では、本洗剤組成物は、２−ヒドロキシピリジン−１−オキシド；３−ピリジンカルボン酸、２−ヒドロキシ−、１−オキシド；６−ヒドロキシ−３−ピリジンカルボン酸、１−オキシド；２−ヒドロキシ−４−ピリジンカルボン酸、１−オキシド；２−ピリジンカルボン酸、６−ヒドロキシ−、１−オキシド；６−ヒドロキシ−３−ピリジンスルホン酸、１−オキシド；及びそれらの混合物からなる群から選択される２−ピリジノール−Ｎ−オキシド化合物を含む。ある態様では、洗剤組成物は、１−ヒドロキシ−２（１Ｈ）−ピリジノン化合物（ＣＡＳ  ８２２−８９−９）；１，６−ジヒドロ−１−ヒドロキシ−６−オキソ−３−ピリジンカルボン酸（ＣＡＳ  ６７７７６３−１８−７）；１，２−ジヒドロ−１−ヒドロキシ−２−オキソ−４−ピリジンカルボン酸（ＣＡＳ  １１９７３６−２２−０）；１，６−ジヒドロ−１−ヒドロキシ−６−オキソ−２−ピリジンカルボン酸（ＣＡＳ  ９４７８１−８９−２）；１−ヒドロキシ−４−メチル−６−（２，４，４−トリメチルペンチル）−２（１Ｈ）−ピリジノン（ＣＡＳ  ５０６５０−７６−５）；６−（シクロヘキシルメチル）−１−ヒドロキシ−４−メチル−２（１Ｈ）−ピリジノン（ＣＡＳ  ２９３４２−１０−７）；１−ヒドロキシ−４，６−ジメチル−２（１Ｈ）−ピリジノン（ＣＡＳ  ２９３４２−０２−７）；１−ヒドロキシ−４−メチル−６−（２，４，４−トリメチルペンチル）−２−ピリドンモノエタノールアミン（ＣＡＳ  ６８８９０−６６−４）；１−ヒドロキシ−６−（オクチルオキシ）−２（１Ｈ）−ピリジノン（ＣＡＳ  １６２９１２−６４−３）；１−ヒドロキシ−４−メチル−６−シクロヘキシル−２−ピリジノンエタノールアミン塩（ＣＡＳ  ４１６２１−４９−２）；１−ヒドロキシ−４−メチル−６−シクロヘキシル−２−ピリジノン（ＣＡＳ  ２９３４２−０５−０）；６−エトキシ−１，２−ジヒドロ−１−ヒドロキシ−２−オキソ−４−ピリジンカルボン酸メチルエステル（ＣＡＳ  ３６９７９−７８−９）；１−ヒドロキシ−５−ニトロ−２（１Ｈ）−ピリジノン（ＣＡＳ  ４５９３９−７０−６）；及び、それらの混合物からなる群から選択される１−ヒドロキシ−２（１Ｈ）−ピリジノン化合物を含む。これらの化合物は、たとえばＳｉｇｍａ−Ａｌｄｒｉｃｈ（Ｓｔ．Ｌｏｕｉｓ、ＭＯ）、Ｐｒｉｎｃｅｔｏｎ  Ｂｕｉｌｄｉｎｇ  Ｂｌｏｃｋｓ（Ｍｏｎｍｏｕｔｈ  Ｊｕｎｃｔｉｏｎ、ＮＪ）、３Ｂ  Ｓｃｉｅｎｔｉｆｉｃ  Ｃｏｒｐｏｒａｔｉｏｎ（Ｌｉｂｅｒｔｙｖｉｌｌｅ、ＩＬ）、ＳｙｎＦｉｎｅ  Ｒｅｓｅａｒｃｈ（Ｒｉｃｈｍｏｎｄ  Ｈｉｌｌ、ＯＮ）、Ｒｙａｎ  Ｓｃｉｅｎｔｉｆｉｃ，Ｉｎｃ．（Ｍｔ．Ｐｌｅａｓａｎｔ、ＳＣ）、及び／又はＡｃｅｓ  Ｐｈａｒｍａ（Ｂｒａｎｆｏｒｄ，ＣＴ）から市販されている。
【０１７８】
ヒドロキサム酸は、ヒドロキシルアミンがカルボン酸に挿入されて、キレート剤として使用される化学化合物のクラスである。ヒドロキサム酸の一般的な構造は、以下である：
【０１７９】
【化７】
0006342508.tif 000008
【０１８０】
好ましいヒドロキサメートは、Ｒ１がＣ４〜Ｃ１４アルキル、好ましくはノルマルアルキル、最も好ましくは飽和であるもの、その塩及びそれらの混合物である。Ｃ８物質を使用する場合、それはオクチルヒドロキサム酸と呼ばれる。
【０１８１】
本明細書での使用に好適な他キレート剤は、市販のＤＥＱＵＥＳＴ（登録商標）シリーズ、及びＭｏｎｓａｎｔｏ、Ａｋｚｏ−Ｎｏｂｅｌ、ＤｕＰｏｎｔ、Ｄｏｗからのキレート化剤、ＢＡＳＦ及びＮａｌｃｏからのＴｒｉｌｏｎ（登録商標）シリーズである。
【０１８２】
キレート化剤は、本明細書において開示されている洗剤組成物中に、本明細書において開示されている洗剤組成物の約０．００５重量％〜約１５重量％、約０．０１重量％〜約５重量％、約０．１重量％〜約３．０重量％、約０．２重量％〜約０．７重量％、又は約０．３重量％〜約０．６重量％で存在し得る。
【０１８３】
衛生及び消臭
本発明の組成物はまた、リシノール酸亜鉛、チモール、Ｂａｒｄａｃ（登録商標）などの四級アンモニウム塩、ポリエチレンイミン（ＢＡＳＦからのＬｕｐａｓｏｌ（登録商標）など）、及びその亜鉛錯体、銀及び銀化合物、とりわけ、Ａｇ＋又はナノ銀分散体をゆっくり放出するように設計されているものを１種又は複数を含んでもよい。
【０１８４】
プロバイオティクス
本組成物は、国際公開第２００９／０４３７０９号に記載されているものなどのプロバイオティクスを含んでもよい。
【０１８５】
充填剤及び担体
本明細書において記載されている清浄組成物に、充填剤及び担体を用いてもよい。本明細書において使用する場合、「充填剤」及び「担体」という用語は同じ意味を有し、互換的に用いることができる。
【０１８６】
液体清浄組成物、及び液体構成成分を含む他の形態の清浄組成物（液体含有単位分量の清浄組成物など）は、水及び他の溶媒を充填剤又は担体として含んでもよい。好適な溶媒として、シロキサン、他のシリコーン、炭化水素、グリコールエーテル、グリセリンエーテルなどのグリセリン誘導体、ペルフッ素化アミン、ペルフッ素化及びヒドロフルオロエーテル溶媒、低揮発性非フッ素化有機溶媒、ジオール溶媒、及びそれらの混合物を含む親油性流体も挙げられる。
【０１８７】
メタノール、エタノール、プロパノール及びイソプロパノールにより例示される低分子量の一級又は二級アルコールが適している。一部の例では、界面活性剤を可溶化するために一価アルコールを用いてもよく、２〜約６個の炭素原子と２〜約６個のヒドロキシ基を含有するものなどのポリオール（たとえば１，３−プロパンジオール、エチレングリコール、グリセリン及び１，２−プロパンジオール）も用いてもよい。モノエタノールアミン、ジエタノールアミン及びトリエタノールアミンなどのアミン含有溶媒も使用することができる。
【０１８８】
清浄組成物は、該組成物の重量基準で、約５％〜約９０％、及び一部の例では、約１０％〜約５０％のこうした担体を含有してもよい。コンパクト又はスーパーコンパクト強力液体又は他の形態の清浄組成物に関すると、水の使用は、該組成物の約４０重量％未満、又は約２０重量％未満、又は約５重量％未満、又は約４重量％未満、又は約３重量％未満、又は約２重量％未満の遊離水とすることができ、又は遊離水が実質的に不含（すなわち、無水）とすることができる。
【０１８９】
粉末又は棒状の清浄組成物、又は固体若しくは粉末構成成分を含む形態（粉末含有単位用量の清浄組成物など）の場合、好適な充填剤としては、以下に限定されないが、硫酸ナトリウム、塩化ナトリウム、粘土、又は他の不活性固体成分が挙げられる。充填剤は、また、バイオマス又は脱色バイオマスを含んでもよい。顆粒、棒状、又は他の固体清浄組成物中の充填剤は、清浄組成物の約８０重量％未満、及び一部の例では、清浄組成物の約５０重量％未満を含む。コンパクト又はスーパーコンパクト粉末又は固体清浄組成物は、清浄組成物の重量で約４０％未満、又は約２０％未満、又は約１０％未満の充填剤を含んでもよい。
【０１９０】
コンパクト又はスーパーコンパクト液体又は粉末の清浄組成物、又は他の形態のいずれかの場合、製品中の液体又は固体充填剤のレベルが低減されて、コンパクト化されていない清浄組成物と比べて、同量の活性化学物質が洗浄液に送達され得るか、又は一部の例では、清浄組成物が一層効率的となり、コンパクト化されていない組成物と比べて、より少量の活性化学物質が洗浄液に送達される。たとえば、洗浄液は、洗浄液中の清浄組成物の濃度が０ｇ／Ｌ〜約６ｇ／Ｌ超となるような量で、清浄組成物を水に接触させることにより形成することができる。一部の例では、濃度は、約０．５ｇ／ｌ〜約５ｇ／ｌ、又は約０．５ｇ／ｌ〜約３．０ｇ／ｌ、又は約０．５ｇ／ｌ〜約２．５ｇ／Ｌ、又は約０．５ｇ／ｌ〜約２．０ｇ／Ｌ、又は約０．５ｇ／ｌ〜約１．５ｇ／Ｌ、又は約０ｇ／Ｌ〜約１．０ｇ／Ｌ、又は約０ｇ／Ｌ〜約０．５ｇ／Ｌであってもよい。これらの投与量は限定を意図するものではなく、他の投与量を使用することもできることは当業者には明白となろう。
【０１９１】
緩衝系
本明細書において記載されている清浄組成物は、水性清浄操作において使用する間、洗浄水が約７．０〜約１２の間、及び一部の例では約７．０〜１１の間のｐＨを有するように配合され得る。ｐＨを推奨使用レベルに調整する技法としては、緩衝剤、アルカリ、又は酸の使用が挙げられ、当業者には周知である。これらの技法としては、以下に限定されないが、炭酸ナトリウム、クエン酸、若しくはクエン酸ナトリウム、乳酸若しくは乳酸塩、モノエタノールアミン若しくは他のアミン、ホウ酸若しくはホウ酸塩、及び当分野において周知の他のｐＨ調整化合物の使用が挙げられる。
【０１９２】
本明細書中における清浄組成物は、動的なインウオッシュｐＨプロファイルを含んでもよい。こうした清浄組成物は、（ｉ）水と接触させた約３分後に、洗浄液のｐＨが１０を超えるように、（ｉｉ）水と接触させた約１０分後に、洗浄液のｐＨが９．５未満となるように、（ｉｉｉ）水と接触させた約２０分後に、洗浄液のｐＨが９．０未満となるように、及び、（ｉｖ）場合により、洗液の平衡ｐＨが、約７．０〜約８．５の範囲となるように、他のｐＨ制御剤と併用して、ワックスにより被覆されているクエン酸粒子を使用してもよい。
【０１９３】
ＵＶ吸収剤−本発明のある種の消費者製品の実施形態では、本発明の光感応性封入体は、好適なＵＶ吸収成分を該組成物に配合することによって、保管中の十分な波長の光に暴露することにより早期放出に対して安定化することができる。任意の好適なＵＶ吸収組成物を使用することができるが、組成物に不快な色及び匂いを付与せず、かつ製品のレオロジーに悪影響を及ぼさないものが特に好ましい。ＵＶ吸収成分の非限定的な例には、アボベンゾン、シノキセート、エカムシュル（ecamsule）、アントラニル酸メンチル、メトキシケイ皮酸オクチル、サリチル酸オクチル、オキシベンゾン、スリソベンゾン、及びこれらの組合せが挙げられる。本出願人らは、驚くべきことに、本発明の封入体の光活性化性能が、こうしたＵＶ吸収成分の使用により損なわれないことを見出した。理論により拘泥されることを望むものではいが、多数の消費者製品の用途、たとえば洗濯用洗剤、シャンプー及びボディーウオシュを含めた清浄組成物では、ＵＶ吸収成分は排水に洗い流される一方、本発明の封入体は、対象の表面に有効量で残留し、該封入体は、その後の十分な波長の光に対して暴露した際に、それらの内容物を放出することができると考えられる。他の清浄組成物又はリーブオン型（leave-on）消費者製品、たとえば床用清浄組成物、カーテン及び室内装飾用消臭剤、ボディーローション、並びにヘアスタイリング製品では、ＵＶ吸収成分は、施用後に乾燥して薄膜となり、これにより、本発明の封入体は頂部に留まるか、又は該薄膜上に広がることが可能となる。これにより、有効な量の所望の波長の光が封入体に到達し、有益剤の放出を行うことが可能になる。
【０１９４】
試験方法
ＬＣＡＦ溶解度指数法：
ＵＶー可視光％透過率による、有機適合性シリコーン中の物質の混和度の測定。
【０１９５】
溶解度指数は、以下の手順にしたがい、経路長１ｃｍのキュベットを使用し、４８０ｎｍにおける透過率モードで操作したＵＶ−可視光分光光度計を使用して、試料による光の透過率を測定することにより決定する。好適な機器には、Ｂｅｃｋｍａｎ  Ｃｏｕｌｔｅｒモデル  ＤＵ  ８００  ＵＶ−Ｖｉｓ分光光度計（Ｂｅｃｋｍａｎ  Ｃｏｕｌｔｅｒ  Ｉｎｃ．、Ｂｒｅａ、Ｃａｌｉｆｏｒｎｉａ、米国）が挙げられる。
【０１９６】
試料調製及び分析はすべて、２２℃＋／−２℃の空気温度の実験室中で行う。シンチレーション用ガラス製バイアル中で、本組成物中に存在している主要な有機適合性シリコーンを、試験される物質（たとえば、ポリジメチルシロキサンポリマー）と８０：２０ｖｏｌ／ｖｏｌの比で一緒に混合する。このバイアルに栓をして、その最高速度に設定した卓上型ボルテックスミキサを使用して、５分間、上記の物質をしっかり混合する。混合後に上記のバイアル中で、２つ以上の異なる物質の層が目視によりはっきりと見える場合、該試験物質の溶解度指数は、この方法により確定できないと見なす。異なる層が目視によりはっきりと見えない場合、この分析を継続する。
【０１９７】
分光光度計のランプの電源を入れ、測定を実施する前に、３０分間、温める。４８０ｎｍの波長における、透過率（％Ｔ）モードの測定値を収集するために装置を設定する。経路長１ｃｍのプラスチック製キュベットに試料をすべて充填する。気泡がキュベット中で目視できる場合、ピペットを使用してこの気泡を除去するか、気泡を測定前にキュベットから追い出す。
【０１９８】
シリコーンのみを充填したキュベットと共に、脱イオン水（ＤＩ）を充填したキュベットを使用することにより、有機適合性シリコーンのみの試料に関するベースラインを０にする。有機適合性シリコーンのみの％Ｔを測定する。先の指示下で調製した、有機適合性シリコーンと試験試料との混合物の％Ｔを測定する。有機適合性シリコーンと試験試料との混合物の％Ｔと、有機修飾シリコーン（これは、ベースラインとしてＤＩ水ブランクを使用して測定した）のみの％Ｔを比較する。
【０１９９】
溶解度指数は、１０進法として報告し、有機適合性シリコーンと試験試料との混合物の％Ｔを、有機適合性シリコーンのみの％Ｔにより除算したものとして算出する。例；試験試料ＡＢＣの溶解度指数：
＝有機適合性シリコーン中のＡＢＣの％Ｔ／シリコーン有機適合性シリコーンの％Ｔ
＝８５％／９８％
＝０．８６７
【０２００】
粘度試験方法
機器：ＴＡ  Ｉｎｓｔｒｕｍｅｎｔｓにより作製されたブルックフィールド粘度計及びＡＲ  Ｇ２レオメータ
ブルックフィールド粘度計は、試験物質のおよその範囲を得るために使用し、そうして、ＡＲ  Ｇ２レオメータに関して最良の形状を選択することができる。
【０２０１】
ＡＲ  Ｇ２レオメータのプロトコル
１．形状選択
ａ．タイプ
ｉ．平行板
ｉｉ．クエット／カップ＆ボブ
ｂ．プレートのサイズ
【０２０２】
【表１】
0006342508.tif 000009
２．ジェオメトリーを装着する。
３．ギャップを０にする。
４．測定モードを設定する。硬質モード又は軟質モード（非常に低粘度の場合）を選択する。
５．機器の回転によるマッピング（各実験前に繰り返す）
６．試料の充填
ａ．ベースプレートに試料を置く
ｂ．ギャップを入力する
ｉ．１０００ｕｍ（１ｍｍ）が標準である。
ｉｉ．最小ギャップ＝１０ｘ試料中の最大粒子サイズ
ｃ．ベアリングをロックする。
ｄ．プラスチック製スライドを使用して試料を調整する。
７．測定を行う。
８．試料手順
ａ．流動曲線（段階流動、０．０１〜１００；１０ｐｔｓ／回転、ずり応力、一定時間２０、平均１０を持続）
ｂ．応力掃引（応力＝０．０１〜１００Ｐａ、周波数＝１ｒａｄ／ｓ）
ｃ．周波数掃引（角周波数＝０．１〜１００；設定応力＠応力の１／３（ここでは、Ｇ’は、線形粘弾性領域にあることを確実とするよう、応力掃引を下げ始める）
【実施例】
【０２０３】
（実施例１）
シリコーン消泡剤Ａ１
シリコーン消泡剤Ａ１は、攪拌機を装備した２５０ｍｌの容器に、ジメチルシロキサン基７１〜７５モル％、２−フェニルプロピルメチルシロキサン基２０〜２４モル％、オクチルメチルシロキサン基３〜７モル％を含み、末端がトリメチルシリル基１である、分子量約６５，０００を有するポリマー７１．１４ｇ、及び１０ｍｍ２／ｓ（１０ｃＳｔ）のポリジメチルシロキサン３  ２０．０６ｇに溶解した、Ｍ／Ｑ比が約０．６５／１〜０．６７／１のトリメチルシロキサン単位及びＳｉＯ２単位を有する有機シロキサン樹脂２  ３．８ｇを投入することにより調製する。この混合物を樹脂混合物が完全に配合されるまで撹拌する。次に、沈降シリカ５  ５．００ｇを加え、この混合物を、該シリカの完全な配合に達するまで撹拌する。
【０２０４】
（実施例２）
シリコーン消泡剤Ｂ１
シリコーン消泡剤Ｂ１は、攪拌機を装備した２５０ｍｌの容器に、ジメチルシロキサン基７１〜７５モル％、２−フェニルプロピルメチルシロキサン基２０〜２４モル％、オクチルメチルシロキサン基３〜７モル％を含み、末端がトリメチルシリル基１である、分子量約６５，０００を有するポリマー６９．０５ｇ、及び１０ｍｍ２／ｓ（１０ｃＳｔ）のポリジメチルシロキサン３  ２３．７０ｇに溶解した、Ｍ／Ｑ比が約０．６５／１〜０．６７／１のトリメチルシロキサン単位及びＳｉＯ２単位を有する有機シロキサン樹脂２  ２．２５ｇを投入することにより調製する。この混合物を樹脂混合物が完全に配合されるまで撹拌する。次に、沈降シリカ５  ５．００ｇを加え、この混合物を、該シリカの完全な配合に達するまで撹拌する。
【０２０５】
（実施例３）
シリコーン消泡剤Ｃ１
シリコーン消泡剤Ｃ１は、攪拌機を装備した２５０ｍｌの容器に、ジメチルシロキサン基７１〜７５モル％、２−フェニルプロピルメチルシロキサン基２０〜２４モル％、オクチルメチルシロキサン基３〜７モル％を含み、末端がトリメチルシリル基１である、分子量約６５，０００を有するポリマー６７．６８ｇ、及び１０ｍｍ２／ｓ（１０ｃＳｔ）のポリジメチルシロキサン３  ２２．５５ｇに溶解した、Ｍ／Ｑ比が約０．６５／１〜０．６７／１のトリメチルシロキサン単位及びＳｉＯ２単位を有する有機シロキサン樹脂２  ２．２５ｇを投入することにより調製する。この混合物を樹脂混合物が完全に配合されるまで撹拌する。次に、沈降シリカ５  ７．５２ｇを加え、この混合物を、該シリカの完全な配合に達するまで撹拌する。
【０２０６】
（実施例４）
シリコーン消泡剤Ｄ１
シリコーン消泡剤Ｄ１は、攪拌機を装備した２５０ｍｌの容器に、ジメチルシロキサン基７１〜７５モル％、２−フェニルプロピルメチルシロキサン基２０〜２４モル％、オクチルメチルシロキサン基３〜７モル％を含み、末端がトリメチルシリル基１である、分子量約６５，０００を有するポリマー７０．５６ｇ、ステアリン酸２−エチルヘキシル３．００ｇに溶解した、Ｍ／Ｑ比が約０．６５／１〜０．６７／１のトリメチルシロキサン単位及びＳｉＯ２単位を有する有機シロキサン樹脂２  ３．８０ｇ、及び１０ｍｍ２／ｓ（１０ｃＳｔ）のポリジメチルシロキサン３  １７．６４ｇを投入することにより調製する。この混合物を樹脂混合物が完全に配合されるまで撹拌する。次に、沈降シリカ５  ５．００ｇを加え、この混合物を、該シリカの完全な配合に到達するまで撹拌する。
【０２０７】
（実施例５）
シリコーン消泡剤Ｅ１
シリコーン消泡剤Ｅ１は、攪拌機を装備した２５０ｍｌの容器に、ジメチルシロキサン基７１〜７５モル％、２−フェニルプロピルメチルシロキサン基２０〜２４モル％、オクチルメチルシロキサン基３〜７モル％を含み、末端がトリメチルシリル基１である、分子量約６５，０００を有するポリマー６７．６８ｇ、及び１０ｍｍ２／ｓ（１０ｃＳｔ）のポリジメチルシロキサン３  ２２．５５ｇに溶解した、Ｍ／Ｑ比が約０．６５／１〜０．６７／１のトリメチルシロキサン単位及びＳｉＯ２単位を有する有機シロキサン樹脂２  ２．２５ｇを投入することにより調製する。この混合物を樹脂混合物が完全に配合されるまで撹拌する。次に、沈降シリカ５  ５．００ｇ及びヒュームドシリカ６  ２．５２ｇを加え、この混合物を、該シリカの完全な配合に到達するまで撹拌する。
【０２０８】
（実施例６）
シリコーン消泡剤Ｆ１
シリコーン消泡剤Ｆ１は、攪拌機を装備した２５０ｍｌの容器に、ジメチルシロキサン基７１〜７５モル％、２−フェニルプロピルメチルシロキサン基２０〜２４モル％、オクチルメチルシロキサン基３〜７モル％を含み、末端がトリメチルシリル基１である、分子量約６５，０００を有するポリマー４２．７０ｇ、ステアリン酸２−エチルヘキシル４  ２．４０ｇに溶解した、Ｍ／Ｑ比が約０．６５／１〜０．６７／１のトリメチルシロキサン単位及びＳｉＯ２単位を有する有機シロキサン樹脂２  ２．４０ｇ、１０ｍｍ２／ｓ（１０ｃＳｔ）のポリジメチルシロキサン３  ２８．５０ｇ、及び７ｍｍ２／ｓ（７ｃＳｔ）のポリジメチルシロキサン７  ２０．００ｇを投入することにより調製する。この混合物を樹脂混合物が完全に配合されるまで撹拌する。次に、沈降シリカ５  ４．００ｇを加え、この混合物を、該シリカの完全な配合に達するまで撹拌する。
【０２０９】
（実施例７）
シリコーン消泡剤Ｇ１
シリコーン消泡剤Ｇ１は、攪拌機を装備した２５０ｍｌの容器に、ジメチルシロキサン基７１〜７５モル％、２−フェニルプロピルメチルシロキサン基２０〜２４モル％、オクチルメチルシロキサン基３〜７モル％を含み、末端がトリメチルシリル基１である、分子量約６５，０００を有するポリマー６５．５２ｇ、及びＭ／Ｑ比が約０．６５／１〜０．６７／１のトリメチルシロキサン単位及びＳｉＯ２単位を有する有機シロキサン樹脂２  ６．０ｇを投入することにより調製する。この混合物を樹脂が完全に配合されるまで撹拌する。次に、沈降シリカ５であるＳｉｐｅｒｎａｔ  ３５  ５．２５ｇ及びヒュームドシリカ５であるＡｅｒｏｓｉｌ  ２００  １．７５ｇを加え、この混合物を、該シリカの完全な配合に到達するまで撹拌する。カリウムメトキシド０．７９ｇを加え、この混合物を２００℃で４時間、撹拌し、周囲まで冷却して、１０ｍｍ２／ｓ（１０ｃＳｔ）のポリジメチルシロキサン３  １８．４８ｇ及びステアリン酸２−エチルヘキシル３．００ｇを加え、完全な配合に到達するまで撹拌すると、半透明な粘性液体が生じる。
【０２１０】
（実施例８）
シリコーン消泡剤Ｈ１
シリコーン消泡剤Ｈ１は、攪拌機を装備した２５０ｍｌの容器に、ジメチルシロキサン基７１〜７５モル％、２−フェニルプロピルメチルシロキサン基２７〜３３モル％、オクチルメチルシロキサン基３〜７モル％を含み、末端がトリメチルシリル基１である、分子量約６５，０００を有するポリマー７０．５６ｇ、ステアリン酸２−エチルヘキシル４  ３．００ｇに溶解した、Ｍ／Ｑ比が約０．６５／１〜０．６７／１のトリメチルシロキサン単位及びＳｉＯ２単位を有する有機シロキサン樹脂２  ３．８０ｇ、及び１０ｍｍ２／ｓ（１０ｃＳｔ）のポリジメチルシロキサン３  １７．６４ｇを投入することにより調製する。この混合物を樹脂混合物が完全に配合されるまで撹拌する。次に、沈降シリカ５  ５．００ｇを加え、この混合物を、該シリカの完全な配合に到達するまで撹拌する。
１  Ｓｈｉｎ−Ｅｔｓｕ  Ｓｉｌｉｃｏｎｅｓ  ｏｆ  Ａｍｅｒｉｃａ、Ａｋｒｏｎ、ＯＨにより提供。
２  Ｂｅｌｓｉｌ（登録商標）８０３という商標名の、Ｗａｃｋｅｒ  Ｓｉｌｉｃｏｎｅｓ、Ａｄｒｉａｎ、ＭＩにより提供。
３  Ｓｈｉｎ−Ｅｔｓｕ  Ｓｉｌｉｃｏｎｅｓ  ｏｆ  Ａｍｅｒｉｃａ、Ａｋｒｏｎ、ＯＨにより提供。
４  Ｗａｋｏ  Ｃｈｅｍｉｃａｌｓ  ＵＳＡ，Ｉｎｃ、Ｒｉｃｈｍｏｎｄ、ＶＡにより提供。
５  Ｅｖｏｎｉｋ  Ｄｅｇｕｓｓａ  Ｃｏｒｐｏｒａｔｉｏｎ、Ｐａｒｓｉｐｐａｎｙ、ＮＪから入手可能。
６  Ｅｖｏｎｉｋ  Ｄｅｇｕｓｓａ  Ｃｏｒｐｏｒａｔｉｏｎ、Ｐａｒｓｉｐｐａｎｙ、ＮＪから入手可能。
７  Ｇｅｌｅｓｔ、Ｉｎｃ．、Ｍｏｒｒｉｓｖｉｌｌｅ、ＰＡから入手可能。
【０２１１】
実施例９：液体洗剤用布地ケア組成物：
液体洗剤用布地ケア組成物９Ａ〜９Ｅは、以下に示されている割合で一覧表示されている成分を一緒に混合することにより作製する。
【０２１２】
【表２】
0006342508.tif 000010
【０２１３】
実施例１０：液体又はゲル洗剤
液体又はゲル洗剤用布地ケア組成物１０Ａ〜１０Ｅは、以下に示されている割合で一覧表示されている成分を一緒に混合することにより作製する。
【０２１４】
【表３】
0006342508.tif 000011
１  Ｓｈｅｌｌ  Ｃｈｅｍｉｃａｌｓ（Ｈｏｕｓｔｏｎ、ＴＸ）から入手可能
２  Ｈｕｎｔｓｍａｎ  Ｃｈｅｍｉｃａｌｓ（Ｓａｌｔ  Ｌａｋｅ  Ｃｉｔｙ、ＵＴ）から入手可能
３  Ｓａｓｏｌ  Ｃｈｅｍｉｃａｌｓ（Ｊｏｈａｎｎｅｓｂｕｒｇ、南アフリカ）から入手可能
４  Ｅｖｏｎｉｋ  Ｃｏｒｐｏｒａｔｉｏｎ（Ｈｏｐｅｗｅｌｌ、ＶＡ）から入手可能
５  Ｔｈｅ  Ｐｒｏｃｔｅｒ  ＆  Ｇａｍｂｌｅ  Ｃｏｍｐａｎｙ（Ｃｉｎｃｉｎｎａｔｉ、ＯＨ）から入手可能
６  Ｓｉｇｍａ  Ａｌｄｒｉｃｈ  ｃｈｅｍｉｃａｌｓ（Ｍｉｌｗａｕｋｅｅ、ＷＩ）から入手可能
７  Ｇｅｎｅｎｃｏｒ  Ｉｎｔｅｒｎａｔｉｏｎａｌ（Ｓｏｕｔｈ  Ｓａｎ  Ｆｒａｎｃｉｓｃｏ、ＣＡ）から入手可能
８  Ｃｉｂａ  Ｓｐｅｃｉａｌｔｙ  Ｃｈｅｍｉｃａｌｓ（Ｈｉｇｈ  Ｐｏｉｎｔ、ＮＣ）から入手可能
９  −ＮＨあたり２０個のエトキシレート基を有する分子量６００ｇ／ｍｏｌのポリエチレンイミンコアであり、ＢＡＳＦ（Ｌｕｄｗｉｇｓｈａｆｅｎ、ドイツ）から入手可能
１０  −ＮＨあたり２４個のエトキシレート基と−ＮＨあたり１６個のプロポキシレート基とを有する、分子量６００ｇ／ｍｏｌのポリエチレンイミンコア。ＢＡＳＦ（Ｌｕｄｗｉｇｓｈａｆｅｎ、ドイツ）から入手可能。
１１  国際公開ＷＯ  ０１／０５８７４に記載されており、ＢＡＳＦ（Ｌｕｄｗｉｇｓｈａｆｅｎ、ドイツ）から入手可能
１２  Ｔｈｉｘｃｉｎ（登録商標）Ｒの商標名でＥｌｅｍｅｎｔｉｓ  Ｓｐｅｃｉａｌｔｉｅｓ（Ｈｉｇｈｓｔｏｗｎ、ＮＪ）から入手可能。
１３  Ｎａｌｃｏ  Ｃｈｅｍｉｃａｌｓ（Ｎａｐｅｒｖｉｌｌｅ、ＩＬ）から入手可能。
１４  Ｎｏｖｏｚｙｍｅｓ（Ｃｏｐｅｎｈａｇｅｎ、デンマーク）から入手可能。
１５  ＰＥＧ−ＰＶＡグラフトコポリマーは、ポリエチレンオキシド骨格と複数のポリビニルアセテート側鎖とを有する、ポリビニルアセテートグラフト化ポリエチレンオキシドコポリマーである。ポリエチレンオキシド骨格の分子量は、約６０００であり、ポリエチレンオキシドとポリ酢酸ビニルとの重量比は、約４０〜６０であり、５０エチレンオキシド単位あたり１グラフト点以下である。ＢＡＳＦ（Ｌｕｄｗｉｇｓｈａｆｅｎ、ドイツ）から入手可能。
【０２１５】
実施例１１：すすぎ時添加型布地ケア組成物
以下に示されている成分を一緒に混合することにより、すすぎ時添加型布地ケア組成物１１Ａ〜１１Ｄを調製する。
【０２１６】
【表４】
0006342508.tif 000012
１  塩化Ｎ，Ｎジ（タロウオイルオキシエチル）−Ｎ，Ｎジメチルアンモニウム（Ｅｖｏｎｉｋ  Ｃｏｒｐｏｒａｔｉｏｎ（Ｈｏｐｅｗｅｌｌ、ＶＡ））から入手可能。
２  脂肪酸とメチルジエタノールアミンとの反応生成物を塩化メチルにより四級化すると、塩化Ｎ，Ｎ−ジ（タロウオイルオキシエチル）Ｎ，Ｎ−ジメチルアンモニウム及び塩化Ｎ−（タロウオイルオキシエチル）Ｎ−ヒドロキシエチルＮ，Ｎ−ジメチルアンモニウムの２．５：１モル濃度（ｍｏｌａｒ）の混合物が得られる。Ｅｖｏｎｉｋ  Ｃｏｒｐｏｒａｔｉｏｎ（Ｈｏｐｅｗｅｌｌ、ＶＡ）から入手可能。
３  ２５％〜９５％のアミロース及び０．０２〜０．０９の置換度を含有し、５０〜８４の値を有する、水流動性として測定される粘度を有する、通常のトウモロコシデンプン又はバレイショデンプンをベースとするカチオン性デンプン。Ｎａｔｉｏｎａｌ  Ｓｔａｒｃｈ（Ｂｒｉｄｅｇｅｗａｔｅｒ、ＮＪ）から入手可能。
４  株式会社日本触媒（東京、日本）から商標名Ｅｐｏｍｉｎ（登録商標）１０５０で入手可能。
５  商標名Ｓｅｄｉｐｕｒ（登録商標）５４４でＢＡＳＦ（ＡＧ、Ｌｕｄｗｉｇｓｈａｆｅｎ）から入手可能な、アクリルアミド−ｃｏ−塩化［２−（アクリロイルアミノ）エチル］トリ−メチルアンモニウム（四級ジメチルアミノエチルアクリレート）のコポリマーなどのカチオン性ポリアクリルアミドポリマー
６  Ａｐｐｌｅｔｏｎ  Ｐａｐｅｒ（Ａｐｐｌｅｔｏｎ、ＷＩ）から入手可能
【０２１７】
実施例１２：粉末洗剤組成物
【０２１８】
【表５】
0006342508.tif 000013
【０２１９】
本明細書において開示されている寸法及び値は、列挙されている正確な数値に厳密に限定されるものと理解すべきではない。むしろ、特に指定されないかぎり、こうした寸法はそれぞれ、列挙した値と、その値の周辺の機能的に等価な範囲との両方を意味することを意図している。たとえば、「４０ｍｍ」として開示されている寸法は、「約４０ｍｍ」を意味するものとする。
【０２２０】
発明を実施するための形態において引用されたすべての文献は、関連部分において参照により本明細書に組み込まれている。いかなる文献の引用も、本発明に関する先行技術であることを認めるものとして解釈されるべきではない。本文献における用語のいずれかの意味又は定義が、参照により組み込まれた文献における同一の用語のいずれの意味又は定義とも相反するかぎりにおいては、本文献においてその用語に与えられた意味又は定義が優先するものとする。
【０２２１】
本発明の特定の実施形態が例示され説明されてきたが、本発明の趣旨及び範囲から逸脱することなく、さまざまな他の変更及び修正を行うことができる点は、当業者には明白であろう。したがって、本発明の範囲内にあるそのようなすべての変更及び修正は、添付の特許請求の範囲において網羅することを意図している。